(57)【要約】【課題】リピート印刷時のユーザーの操作性を向上させる。【解決手段】  本発明の印刷装置は、所定の画像を複数配列した印刷画像を、媒体に印刷する印刷装置であって、前記画像の画像領域に関する画像領域情報を取得し、前記媒体の印刷領域に関する印刷領域情報を取得し、前記画像領域情報と前記印刷領域情報とに基づいて、前記印刷画像に配列される前記画像の数を決定することを特徴とする。このような印刷装置によれば、ユーザーが１枚の用紙に配列する画像の数を入力する必要がないので、複数の画像を用紙に配列する際のユーザーの操作性を向上させることができる。【選択図】  図１２
2010016888.tif 000002
【特許請求の範囲】
【請求項１】
所定の画像を複数配列した印刷画像を、媒体に印刷する印刷装置であって、
前記画像の画像領域に関する画像領域情報を取得し、
前記媒体の印刷領域に関する印刷領域情報を取得し、
前記画像領域情報と前記印刷領域情報とに基づいて、前記印刷画像に配列される前記画像の数を決定することを特徴とする印刷装置。
【請求項２】
請求項１に記載の印刷装置であって、
原稿から情報を読み取るための読取部を有し、
前記読取部によって読み取られた前記画像に関する情報に基づいて、前記画像領域情報を取得する。
【請求項３】
請求項２に記載の印刷装置であって、
前記読取部の第１の読取動作によって読み取られた第１の前記画像に関する情報に基づいて前記画像領域情報を取得し、
前記読取部の第２の読取動作によって読み取られた前記画像に関する情報に基づいて、前記印刷画像を決定する。
【請求項４】
請求項３に記載の印刷装置であって、
前記第１の画像に関する情報の解像度は、前記第２の画像に関する情報の解像度よりも小さい。
【請求項５】
請求項３又は４に記載の印刷装置であって、
前記第１の画像に関する情報は、単一色による画像に関する情報であり、
前記第２の画像に関する情報は、複数色による画像に関する情報である。
【請求項６】
請求項３〜５のいずれかに記載の印刷装置であって、
前記読み取られた前記画像に関する情報を回転させ、回転された前記画像に関する情報に基づいて、前記印刷画像を決定する。
【請求項７】
請求項６に記載の印刷装置であって、
前記読み取られた画像を複数配列したときの前記印刷画像の前記画像の数と、前記回転された前記画像を複数配列したときの前記印刷画像の前記画像の数とを比較し、
多い方の前記印刷画像を前記媒体に印刷する。
【請求項８】
請求項６に記載の印刷装置であって、
前記読み取られた画像および前記回転された前記画像が、前記媒体に印刷される。
【請求項９】
請求項１〜８のいずれかに記載の印刷装置であって、
前記印刷画像には、途中で途切れた前記画像は配列されない。
【請求項１０】
請求項１〜９のいずれかに記載の印刷装置であって、
前記画像の数は、前記印刷領域に前記画像を配列することができる最大数である。
【請求項１１】
請求項１〜１０のいずれかに記載の印刷装置であって、
前記画像の数は、余白に関する情報に基づいて、決定される。
【請求項１２】
請求項１１に記載の印刷装置であって、
前記媒体の端部と前記画像との間に設けられる余白の幅は、前記画像間に設けられる余白の幅とほぼ等しい。
【請求項１３】
請求項１〜１２のいずれかに記載の印刷装置であって、
前記媒体の端部と前記画像との間に余白がないときは、前記画像間に余白がない。
【請求項１４】
請求項１〜１３のいずれかに記載の印刷装置であって、
所定の解像度で前記印刷画像を印刷する印刷手段と、
情報を記憶するメモリと
を備え、
前記メモリは、前記印刷領域の半分の大きさの前記画像に関する情報を、前記所定の解像度で記憶可能である。
【請求項１５】
請求項１〜１４のいずれかに記載の印刷装置であって、
前記画像の数を表示するための表示部を有する。
【請求項１６】
請求項１５に記載の印刷装置であって、
前記画像の数を表示した後、前記印刷画像を印刷する前記媒体の数を設定可能である。
【請求項１７】
請求項１〜１４のいずれかに記載の印刷装置であって、
印刷する前記画像の総数を入力し、
前記印刷画像に配列される前記画像の数と前記印刷総数とに基づいて、前記印刷画像を印刷する前記媒体の数を決定する。
【請求項１８】
所定の画像を複数配列した印刷画像を、媒体に印刷する印刷装置であって、
前記画像の画像領域に関する画像領域情報を取得し、前記媒体の印刷領域に関する印刷領域情報を取得し、前記画像領域情報と前記印刷領域情報とに基づいて、前記印刷画像に配列される前記画像の数を決定し、
原稿から画像を読み取るための読取部を有し、前記読取部の第１の読取動作によって読み取られた第１の前記画像に関する情報に基づいて前記画像領域情報を取得し、前記読取部の第２の読取動作によって読み取られた前記画像に関する情報に基づいて、前記印刷画像を決定し、
前記第１の画像に関する情報の解像度は、前記第２の画像に関する情報の解像度よりも小さく、
前記第１の画像に関する情報は、単一色による画像に関する情報であり、前記第２の画像に関する情報は、複数色による画像に関する情報であり、
前記読み取られた前記画像に関する情報を回転させ、回転された前記画像に関する情報に基づいて、前記印刷画像を決定し、
前記読み取られた画像を複数配列したときの前記印刷画像の前記画像の数と、前記回転された前記画像を複数配列したときの前記印刷画像の前記画像の数とを比較し、多い方の前記印刷画像を前記媒体に印刷し、
前記読み取られた画像および前記回転された前記画像が、前記媒体に印刷され、
前記印刷画像には、途中で途切れた前記画像は配列されず、
前記画像の数は、前記印刷領域に前記画像を配列することができる最大数であり、
前記画像の数は、前記余白に関する情報に基づいて、決定され、
前記媒体の端部と前記画像との間に設けられる余白の幅は、前記画像間に設けられる余白の幅とほぼ等しく、
所定の解像度で前記印刷画像を印刷する印刷手段と、情報を記憶するメモリとを備え、前記メモリは、前記印刷領域の半分の大きさの前記画像に関する情報を、前記所定の解像度で記憶可能であって、
前記画像の数を表示するための表示部を有し、前記画像の数を表示した後、前記印刷画像を印刷する前記媒体の数を設定可能である
ことを特徴とする印刷装置。
【請求項１９】
所定の画像を複数配列した印刷画像を、媒体に印刷する印刷方法であって、
前記画像の画像領域に関する画像領域情報を取得する工程と、
前記媒体の印刷領域に関する印刷領域情報を取得する工程と、
前記画像領域情報と前記印刷領域情報とに基づいて、前記印刷画像に配列される前記画像の数を決定する工程と
を有することを特徴とする印刷方法。
【請求項２０】
所定の画像を複数配列した印刷画像を、媒体に印刷する印刷装置に、
前記画像の画像領域に関する画像領域情報を取得する機能と、
前記媒体の印刷領域に関する印刷領域情報を取得する機能と、
前記画像領域情報と前記印刷領域情報とに基づいて、前記印刷画像に配列される前記画像の数を決定する機能と、
を実現させることを特徴とするプログラム。
【請求項２１】
コンピュータ本体と、所定の画像を複数配列した印刷画像を媒体に印刷する印刷装置とを備えた印刷システムであって、
前記印刷装置は、
前記画像の画像領域に関する画像領域情報を取得し、
前記媒体の印刷領域に関する印刷領域情報を取得し、
前記画像領域情報と前記印刷領域情報とに基づいて、前記印刷画像に配列される前記画像の数を決定する
ことを特徴とする印刷システム。
【請求項２２】
画像データを印刷データに変換するデータ変換部と、
画像データの画像をレイアウトした画像データを生成するレイアウト部と、
前記レイアウト部と前記データ変換部との間において画像データを伝送する伝送路と
を備え、
前記印刷データに基づいて、媒体に印刷を行う印刷装置であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換することを特徴とする印刷装置。
【請求項２３】
請求項２２に記載の印刷装置であって、
前記印刷装置は、原稿から画像を読み取るスキャナ部を更に備え、
前記データ変換部は、前記スキャナ部から受け取ったデータに基づいて、画像データを生成することを特徴とする印刷装置。
【請求項２４】
請求項２３に記載の印刷装置であって、
前記スキャナ部から受け取ったデータに基づいて前記データ変換部が生成する画像データの解像度は、前記画像をレイアウトするか否かにより、異なることを特徴とする印刷装置。
【請求項２５】
請求項２４に記載の印刷装置であって、
前記画像をレイアウトする場合、前記データ変換部が生成する画像データの解像度は、前記画像をレイアウトしない場合と比較して、低い解像度であることを特徴とする印刷装置。
【請求項２６】
請求項２２〜２５のいずれかに記載の印刷装置であって、
前記印刷装置は、複数のノズルを備えた移動可能なヘッドを更に備え、
前記データ変換部は、前記画像データを、各ノズルに対応させて並び替えた印刷データに変換するユニットを有することを特徴とする印刷装置。
【請求項２７】
請求項２２〜２６のいずれかに記載の印刷装置であって、
前記データ変換部は、ＲＧＢ系の画像データをＣＭＹＫ系の画像データに変換するユニットを有することを特徴とする印刷装置。
【請求項２８】
請求項２７に記載の印刷装置であって、
前記レイアウト部は、ＲＧＢ系の画像データに基づいて、この画像データの画像をレイアウトしたＲＧＢ系の画像データを生成することを特徴とする印刷装置。
【請求項２９】
請求項２２〜２８のいずれかに記載の印刷装置であって、
前記レイアウト部が生成した画像データの画像の解像度は、前記印刷データの画像の解像度よりも低い解像度であることを特徴とする印刷装置。
【請求項３０】
請求項２９に記載の印刷装置であって、
前記データ変換部は、前記レイアウト部が生成した前記画像データの解像度を変更するユニットを有することを特徴とする印刷装置。
【請求項３１】
画像データを印刷データに変換するデータ変換部と、
画像データの画像をレイアウトした画像データを生成するレイアウト部と、
前記レイアウト部と前記データ変換部との間において画像データを伝送する伝送路と
を備え、
前記印刷データに基づいて、媒体に印刷を行う印刷装置であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換し、
前記印刷装置は、原稿から画像を読み取るスキャナ部を更に備え、
前記データ変換部は、前記スキャナ部から受け取ったデータに基づいて、画像データを生成し、
前記スキャナ部から受け取ったデータに基づいて前記データ変換部が生成する画像データの解像度は、前記画像をレイアウトするか否かにより、異なり、
前記画像をレイアウトする場合、前記データ変換部が生成する画像データの解像度は、前記画像をレイアウトしない場合と比較して、低い解像度であり、
前記印刷装置は、複数のノズルを備えた移動可能なヘッドを更に備え、
前記データ変換部は、前記画像データを、各ノズルに対応させて並び替えた印刷データに変換するユニットを有し、
前記データ変換部は、ＲＧＢ系の画像データをＣＭＹＫ系の画像データに変換するユニットを有し、
前記レイアウト部は、ＲＧＢ系の画像データに基づいて、この画像データの画像をレイアウトしたＲＧＢ系の画像データを生成し、
前記レイアウト部が生成した画像データの画像の解像度は、前記印刷データの画像の解像度よりも低い解像度であり、
前記データ変換部は、前記レイアウト部が生成した前記画像データの解像度を変更するユニットを有する
ことを特徴とする印刷装置。
【請求項３２】
画像データを印刷データに変換するデータ変換部と、
画像データの画像をレイアウトした画像データを生成するレイアウト部と、
前記レイアウト部と前記データ変換部との間において画像データを伝送する伝送路と
を備えた印刷装置により、前記印刷データに基づいて、媒体に印刷を行う印刷方法であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換することを特徴とする印刷方法。
【請求項３３】
画像データを印刷データに変換するデータ変換部と、
画像データの画像をレイアウトした画像データを生成するレイアウト部と、
前記レイアウト部と前記データ変換部との間において画像データを伝送する伝送路と
を備え、前記印刷データに基づいて、媒体に印刷を行う印刷装置に、
レイアウトした画像を前記媒体に印刷する場合、前記レイアウト部が、前記画像をレイアウトした画像データを生成し、前記データ変換部が、前記レイアウト部から前記伝送路を介して伝送された画像データを印刷データに変換する機能と、
レイアウトされない画像を前記媒体に印刷する場合、前記レイアウト部は、前記画像をレイアウトした画像データを生成せず、前記データ変換部が、前記伝送路を経由していない前記画像データを前記印刷データに変換する機能と
を実現させることを特徴とするプログラム。
【請求項３４】
コンピュータ本体と、印刷装置とを備えた印刷システムであって、
前記印刷装置は、
画像データを印刷データに変換するデータ変換部と、
画像データの画像をレイアウトした画像データを生成するレイアウト部と、
前記レイアウト部と前記データ変換部との間において画像データを伝送する伝送路と
を備え、
前記印刷データに基づいて、媒体に印刷を行う印刷装置であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換する
ことを特徴とする印刷システム。
【発明の詳細な説明】
【技術分野】
【０００１】
本発明は、複数の画像を配列した印刷画像を媒体に印刷する印刷装置および印刷方法に関する。また、このような印刷装置を制御するプログラム、および、このような印刷装置を有する印刷システムに関する。  
また、本発明は、画像をレイアウトして媒体に印刷可能な印刷装置、印刷方法、プログラム及び印刷システムに関する。
【背景技術】
【０００２】
（１）用紙に対して小さな原稿を印刷する際、１枚の用紙に同じ画像を繰り返して印刷する印刷方式が知られている。この印刷方式によれば、縦方向および横方向に複数の画像が用紙に配列されて印刷される。（例えば、特許文献１参照）
（２）印刷装置が画像データの画像を紙に印刷するとき、印刷装置は、画像データを印刷データに変換する。この画像データから印刷データへの変換は、印刷装置のＣＰＵによって処理される。（例えば、特許文献２参照）
【先行技術文献】
【特許文献】
【０００３】
【特許文献１】特開２０００−２９５４５９号公報
【特許文献２】特許第３３８４５５３号公報
【発明の概要】
【発明が解決しようとする課題】
【０００４】
（１）このような印刷方式では、ユーザーが、縦方向や横方向に配列する画像の数を入力していた。このため、ユーザーは、いくつの画像が用紙に配列できるかを推測して、１枚の用紙に配列する画像の数を入力しなければならなかった。  
本発明は、このように複数の画像を用紙に配列する際のユーザーの操作性を向上させる印刷装置を提供することを目的とする。
【０００５】
（２）ＣＰＵが処理するデータ量が増えると、ＣＰＵによる他の処理速度が低下し、結果として印刷速度が低下してしまう。そこで、ＣＰＵが処理するデータ量を減らすため、ＣＰＵとは別に制御回路を設け、この制御回路によって画像データを印刷データに変換することが考えられる。  
一方、印刷装置が画像データの画像をレイアウトして印刷する必要がある。このレイアウト処理は複雑な演算を必要とするため、上記の制御回路によってレイアウト処理までをも行うことは現実的ではない。  
本発明は、レイアウト処理を行う印刷装置の処理速度を速くすることを目的とする。
【課題を解決するための手段】
【０００６】
上記目的を達成するための主たる第１の発明は、所定の画像を複数配列した印刷画像を、媒体に印刷する印刷装置であって、前記画像の画像領域に関する画像領域情報を取得し、前記媒体の印刷領域に関する印刷領域情報を取得し、前記画像領域情報と前記印刷領域情報とに基づいて、前記印刷画像に配列される前記画像の数を決定することを特徴とする。
【０００７】
上記目的を達成するための主たる第２の発明は、画像データを印刷データに変換するデータ変換部と、画像データの画像をレイアウトした画像データを生成するレイアウト部と、前記レイアウト部と前記データ変換部との間において画像データを伝送する伝送路と
を備え、前記印刷データに基づいて、媒体に印刷を行う印刷装置であって、レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、レイアウトされない画像を前記媒体に印刷する場合、前記レイアウト部は、前記画像をレイアウトした画像データを生成せず、前記データ変換部は、前記伝送路を経由していない前記画像データを前記印刷データに変換することを特徴とする。
【０００８】
本発明の他の特徴については、本明細書及び添付図面の記載により明らかにする。
【発明の効果】
【０００９】
（１）本発明の印刷装置によれば、複数の画像を用紙に配列する際のユーザーの操作性を向上させることができる。
【００１０】
（２）また、本発明の印刷装置によれば、印刷装置の処理速度を速くすることができる。
【図面の簡単な説明】
【００１１】
【図１】本実施の形態に係る記録装置の概略構成を示した斜視図である。
【図２】スキャナ部のカバーを開いた状態を示す斜視図である。
【図３】記録装置の内部構成を示す説明図である。
【図４】プリンタ部の内部を露出させた状態を示す斜視図である。
【図５】操作パネル部の一例を示す図である。
【図６】印刷ヘッド周辺の配置を示した説明図である。
【図７】印刷用紙搬送機構の駆動部を説明するための説明図である。
【図８】ノズルの配列を示す説明図である。
【図９】駆動信号発生部の構成を示すブロック図である。
【図１０】制御回路の一例を示すブロック図である。
【図１１】本実施形態の印刷方式（コピー方式）の説明図である。
【図１２】本実施形態のリピート印刷のフロー図である。
【図１３】図１３Ａ〜図１３Ｂは、原稿セットの説明図である。
【図１４】リピート印刷の際の制御回路の一例を示すブロック図である。
【図１５】第１レイアウトバッファの２値データの概念図である。
【図１６】図１６Ａ〜図１６Ｅは、第２レイアウトバッファのレイアウトイメージデータの概念図である。
【図１７】第２実施形態の制御回路のブロック図である。
【図１８】第１実施形態と第２実施形態の説明図である。
【図１９】コンピュータシステムの外観構成を示した説明図である。
【図２０】コンピュータシステムの構成を示すブロック図である。
【図２１】ドライバのユーザーインターフェースを示す説明図である。
【図２２】印刷データのフォーマットの説明図である。
【図２３】他の画像の配列を説明するための図である。
【発明を実施するための形態】
【００１２】
＝＝＝開示の概要＝＝＝
本明細書及び添付図面の記載により、少なくとも、以下の事項が明らかとなる。
【００１３】
所定の画像を複数配列した印刷画像を、媒体に印刷する印刷装置であって、前記画像の画像領域に関する画像領域情報を取得し、前記媒体の印刷領域に関する印刷領域情報を取得し、前記画像領域情報と前記印刷領域情報とに基づいて、前記印刷画像に配列される前記画像の数を決定することを特徴とする印刷装置。このような印刷層賃よれば、複数の画像を用紙に配列する際のユーザーの操作性を向上させることができる。
【００１４】
かかる印刷装置であって、原稿から画像を読み取るための読取部を有し、前記読取部によって読み取られた前記画像に関する情報に基づいて、前記画像領域情報を取得することが望ましい。このような印刷装置によれば、読取部からの情報に基づいて画像領域情報が取得されるので、自動的に配列される画像の数が決定される。また、前記読取部の第１の読取動作（プレスキャン）によって読み取られた第１の前記画像に関する情報に基づいて前記画像領域情報を取得し、前記読取部の第２の読取動作によって読み取られた前記画像に関する情報に基づいて、前記印刷画像を決定することが望ましい。また、前記第１の画像に関する情報の解像度は、前記第２の画像に関する情報の解像度よりも小さいことが好ましい。また、前記第１の画像に関する情報は、単一色による画像に関する情報であり、前記第２の画像に関する情報は、複数色による画像に関する情報であることが好ましい。このような印刷装置によれば、プレスキャン動作を速く行うことができる。
【００１５】
また、かかる印刷装置であって、前記読み取られた前記画像に関する情報を回転させ、回転された前記画像に関する情報に基づく画像を前記印刷画像に配列できることが望ましい。また、前記読み取られた画像に関する情報に基づく画像を複数配列した前記印刷画像の前記画像の数と、前記回転された前記画像に関する情報に基づく画像を複数配列した場合の前記印刷画像の前記画像の数とを比較し、前記画像の数の多い方の前記印刷画像を前記媒体に印刷することが好ましい。また、前記読み取られた画像に関する情報に基づく画像と前記回転された前記画像に関する情報に基づく画像とが前記媒体に印刷されることが好ましい。このような印刷装置によれば、１枚の媒体に多くの画像を配置することができる。
【００１６】
また、かかる印刷装置であって、前記印刷画像には、途中で途切れた前記画像は配列されないことが望ましい。このような印刷装置によれば、無駄にインクを使用せずに済む。また、前記画像の数は、前記印刷領域に前記画像を配列することができる最大数であることが望ましい。このような印刷装置によれば、１枚の媒体に多くの画像を配置することができる。
【００１７】
また、前記画像の数は、前記余白に関する情報に基づいて、決定されることが望ましい。前記媒体の端部と前記画像との間に設けられる余白の幅は、前記画像間に設けられる余白の幅とほぼ等しいことが好ましい。前記媒体の端部と前記画像との間に余白がないときは、前記画像間に余白がないことが好ましい。このような印刷装置によれば、ユーザーが媒体からそれぞれの画像を切り取る際に、便利である。
【００１８】
また、かかる印刷装置であって、所定の解像度で前記印刷画像を印刷する印刷手段と、情報を記憶するメモリとを備え、前記メモリは、前記印刷領域の半分の大きさの前記画像に関する情報を、前記所定の解像度で記憶可能であることが好ましい。このような印刷装置によれば、複数の媒体を印刷するときに、最初の印刷時の情報を利用することができるので、印刷速度を向上させることができる。
【００１９】
また、前記画像の数を表示するための表示部を有し、前記画像の数を表示した後、前記印刷画像を印刷する前記媒体の数を設定可能であることが望ましい。また、印刷する前記画像の総数を入力し、前記印刷画像に配列される前記画像の数と前記印刷総数とに基づいて、前記印刷画像を印刷する前記媒体の数を決定することが望ましい。このような印刷装置によれば、ユーザーが無駄な印刷を行わずに済む。
【００２０】
また、このような印刷方法、プログラム、プログラムを記憶した記憶媒体およびコンピュータシステムも明らかにされている。
【００２１】
画像データを印刷データに変換するデータ変換部と、画像データの画像をレイアウトした画像データを生成するレイアウト部と、前記レイアウト部と前記データ変換部との間において画像データを伝送する伝送路とを備え、前記印刷データに基づいて、媒体に印刷を行う印刷装置であって、レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換することを特徴とする印刷装置。  
このような印刷装置によれば、レイアウト処理を行わない場合、レイアウト部による処理を必要としないので、画像データを伝送路に伝送する必要がなく、処理速度を速くすることができる。
【００２２】
かかる印刷装置であって、前記印刷装置は、原稿から画像を読み取るスキャナ部を更に備え、前記データ変換部は、前記スキャナ部から受け取ったデータに基づいて、画像データを生成することが望ましい。これにより、データ変換部において画像データの生成をも行うので、処理速度が速くなる。また、前記スキャナ部から受け取ったデータに基づいて前記データ変換部が生成する画像データの解像度は、前記画像をレイアウトするか否かにより、異なることが好ましい。また、前記画像をレイアウトする場合、前記データ変換部が生成する画像データの解像度は、前記画像をレイアウトしない場合と比較して、低い解像度であることが良い。これにより、レイアウト部が処理すべきデータ量が少なくなるので、処理速度が速くなる。
【００２３】
かかる印刷装置であって、前記印刷装置は、複数のノズルを備えた移動可能なヘッドを更に備え、前記データ変換部は、前記画像データを、各ノズルに対応させて並び替えた印刷データに変換するユニットを有することが望ましい。これにより、処理速度が速くなる。
【００２４】
かかる印刷装置であって、前記データ変換部は、ＲＧＢ系の画像データをＣＭＹＫ系の画像データに変換するユニットを有することが望ましい。これにより、処理速度が速くなる。また、前記レイアウト部は、ＲＧＢ系の画像データに基づいて、この画像データの画像をレイアウトしたＲＧＢ系の画像データを生成することが望ましい。これにより、レイアウト部が処理すべきデータの量が少なくなるので、処理速度が速くなる。
【００２５】
かかる印刷装置であって、前記レイアウト部が生成した画像データの画像の解像度は、前記印刷データの画像の解像度よりも低い解像度であることが望ましい。これにより、処理すべきデータ量が少なくなるので、処理速度が速くなる。
【００２６】
かかる印刷装置であって、前記データ変換部は、前記レイアウト部が生成した前記画像データの解像度を変更するユニットを有することが望ましい。これにより、レイアウト部の処理するデータ量を少なくしつつ、画像データを印刷解像度に合わせて変換することができる。
【００２７】
画像データを印刷データに変換するデータ変換部と、
画像データの画像をレイアウトした画像データを生成するレイアウト部と、
前記レイアウト部と前記データ変換部との間において画像データを伝送する伝送路と
を備え、
前記印刷データに基づいて、媒体に印刷を行う印刷装置であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換し、
前記印刷装置は、原稿から画像を読み取るスキャナ部を更に備え、
前記データ変換部は、前記スキャナ部から受け取ったデータに基づいて、画像データを生成し、
前記スキャナ部から受け取ったデータに基づいて前記データ変換部が生成する画像データの解像度は、前記画像をレイアウトするか否かにより、異なり、
前記画像をレイアウトする場合、前記データ変換部が生成する画像データの解像度は、前記画像をレイアウトしない場合と比較して、低い解像度であり、
前記印刷装置は、複数のノズルを備えた移動可能なヘッドを更に備え、
前記データ変換部は、前記画像データを、各ノズルに対応させて並び替えた印刷データに変換するユニットを有し、
前記データ変換部は、ＲＧＢ系の画像データをＣＭＹＫ系の画像データに変換するユニットを有し、
前記レイアウト部は、ＲＧＢ系の画像データに基づいて、この画像データの画像をレイアウトしたＲＧＢ系の画像データを生成し、
前記レイアウト部が生成した画像データの画像の解像度は、前記印刷データの画像の解像度よりも低い解像度であり、
前記データ変換部は、前記レイアウト部が生成した前記画像データの解像度を変更するユニットを有する
ことを特徴とする印刷装置。  
このような印刷装置によれば、レイアウト処理を行わない場合、レイアウト部による処理を必要としないので、画像データを伝送路に伝送する必要がなく、処理速度を速くすることができる。
【００２８】
画像データを印刷データに変換するデータ変換部と、
画像データの画像をレイアウトした画像データを生成するレイアウト部と、
前記レイアウト部と前記データ変換部との間において画像データを伝送する伝送路と
を備えた印刷装置により、前記印刷データに基づいて、媒体に印刷を行う印刷方法であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換することを特徴とする印刷方法。  
このような印刷方法によれば、レイアウト処理を行わない場合、レイアウト部による処理を必要としないので、画像データを伝送路に伝送する必要がなく、処理速度を速くすることができる。
【００２９】
画像データを印刷データに変換するデータ変換部と、
画像データの画像をレイアウトした画像データを生成するレイアウト部と、
前記レイアウト部と前記データ変換部との間において画像データを伝送する伝送路と
を備え、前記印刷データに基づいて、媒体に印刷を行う印刷装置に、
レイアウトした画像を前記媒体に印刷する場合、前記レイアウト部が、前記画像をレイアウトした画像データを生成し、前記データ変換部が、前記レイアウト部から前記伝送路を介して伝送された画像データを印刷データに変換する機能と、
レイアウトされない画像を前記媒体に印刷する場合、前記レイアウト部は、前記画像をレイアウトした画像データを生成せず、前記データ変換部が、前記伝送路を経由していない前記画像データを前記印刷データに変換する機能と
を実現させることを特徴とするプログラム。  
このようなプログラムによれば、処理速度が速くなるように印刷装置を制御することができる。
【００３０】
コンピュータ本体と、印刷装置とを備えた印刷システムであって、
前記印刷装置は、
画像データを印刷データに変換するデータ変換部と、
画像データの画像をレイアウトした画像データを生成するレイアウト部と、
前記レイアウト部と前記データ変換部との間において画像データを伝送する伝送路と
を備え、
前記印刷データに基づいて、媒体に印刷を行う印刷装置であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換する
ことを特徴とする印刷システム。  
このような印刷システムによれば、レイアウト処理を行わない場合、レイアウト部による処理を必要としないので、画像データを伝送路に伝送する必要がなく、処理速度を速くすることができる。
【００３１】
＝＝＝記録装置の概略構成＝＝＝
図１〜図５を参照して本実施の形態に係る記録装置の概略構成について説明する。図１は本実施の形態に係る記録装置の概略構成を示した斜視図、図２はスキャナ部１０のカバーを開いた状態を示す斜視図、図３は記録装置の内部構成を示す説明図、図４はプリンタ部の内部を露出させた状態を示す斜視図、図５は操作パネル部の一例を示す図である。本実施形態の記録装置は、原稿画像を入力するためのスキャナ機能、画像データに基づいて画像を用紙等の媒体に印刷するプリンタ機能、スキャナ機能により入力した画像を用紙等に印刷するローカルコピー機能を有するスキャナ・プリンタ・コピー複合装置（以下、ＳＰＣ複合装置という）である。
【００３２】
ＳＰＣ複合装置１は、原稿５の画像を読み取って画像データとして入力するためのスキャナ部１０と、画像データに基づいて画像を用紙等の媒体に印刷するプリンタ部３０と、ＳＰＣ複合装置１全体の制御を司る制御回路５０と、入力手段をなす操作パネル部７０とを有している。そして制御回路５０の制御により、スキャナ機能、プリンタ機能、及び、スキャナ部１０から入力されたデータをプリンタ部３０にて印刷するローカルコピー機能を実現する。
【００３３】
スキャナ部１０はプリンタ部３０の上に配置され、スキャナ部１０の上部に、読み取る原稿５を載置するための原稿台ガラス１２と、シート状の原稿５を読み取る際や、不使用時に原稿台ガラス１２を覆う原稿台カバー１４が設けられている。原稿台カバー１４は、開閉可能に形成され、閉止した際には原稿台ガラス１２上に載置された原稿を原稿台ガラス１２側に押圧する機能も有している。また、ＳＰＣ複合装置１の背面側にはプリンタ部３０へ用紙７を供給するための用紙供給部３２が設けられ、前面側には下側に、印刷された用紙７が排紙される排紙部３４、上側に入力手段としての操作パネル部７０が設けられており、プリンタ部３０に制御回路５０が内蔵されている。
【００３４】
排紙部３４には、不使用時に排紙口を塞ぐことが可能な排紙トレー３４１が備えられ、用紙供給部３２には、カット紙（図示しない）を保持する給紙トレー３２１が備えられている。印刷に用いる媒体としては、カット紙など単票状印刷用紙のみならず、ロール紙などの連続した印刷用紙でも構わず、ＳＰＣ複合装置１がロール紙への印刷を可能とする給紙構造を備えていてもよい。
【００３５】
図４に示すように、プリンタ部３０とスキャナ部１０とは、背面側にてヒンジ機構４１により結合されており、ヒンジ機構４１の回動部を中心としてユニット化されたスキャナ部１０が手前側から持ち上げられる。スキャナ部１０を持ち上げた状態では、プリンタ部３０を覆うカバーの上部に設けられた開口３０１からプリンタ部３０の内部が露出される構成となっている。このようにプリンタ部３０の内部を露出させることにより、インクカートリッジ等の交換や、用紙詰まりの処理等を容易に行える構成としている。
【００３６】
また、本ＳＰＣ複合装置１への電源部はプリンタ部３０側に設けられており、前記ヒンジ機構４１の近傍にスキャナ部１０へ電源を供給するための給電ケーブル４３が設けられている。さらに、このＳＰＣ複合装置１には、スキャナ機能によるホストコンピュータ３への画像の取り込み、ホストコンピュータ３から送信された画像データの、プリンタ機能による出力を実現するためのＵＳＢインターフェイス５２が設けられている。
【００３７】
＝＝＝操作パネル部７０の構成＝＝＝
図５に示すように、操作パネル部７０はそのほぼ中央に表示部としての液晶ディスプレイ７２と、報知ランプ７４とが設けられている。液晶ディスプレイ７２は２行１６桁の３２文字が表示可能であり、設定項目や設定状態、動作状態等を文字にて表示することが可能である。液晶ディスプレイ７２の脇に設けられた報知ランプ７４は、赤色ＬＥＤであり、エラー発生時に点灯してユーザーにエラー発生を報知する。
【００３８】
液晶ディスプレイ７２の左側には、電源ボタン７６と、スキャンスタートボタン７８と、設定表示ボタン８０と、クリアボタン８２とが設けられている。電源ボタン７６は、本ＳＰＣ複合装置１の電源を投入、遮断するためのボタンである。スキャンスタートボタン７８は、ＳＰＣ複合装置１がホストコンピュータ３に接続された状態において、スキャナ部１０による原稿５の読み取りを開始させるためのボタンである。設定表示ボタン８０は、ユーザーにより設定されたコピー機能に対する設定状態を液晶ディスプレイ７２に表示させるためのボタンである。クリアボタン８２は、コピー機能に対する設定をクリアし、各設定項目をデフォルト値に変更するためのボタンである。
【００３９】
液晶ディスプレイ７２の右側には、カラーコピーボタン８４と、モノクロコピーボタン８６と、ストップボタン８８と、コピー枚数設定ボタン９０とが設けられている。
【００４０】
カラーコピーボタン８４は、カラーコピーを開始させるためのボタンであり、モノクロボタン８６はモノクロコピーを開始させるためのボタンである。したがって、これらのコピーボタン８４，８６は、コピー動作の開始指示と、出力すべき画像がカラー又はモノクロのいずれであるかを選択する選択手段とを兼ねている。ストップボタン８８は、一旦開始したコピー動作を中止させるためのボタンである。コピー枚数設定ボタン９０は、表面に「＋」又は「−」が表記された２つのボタン９０１，９０２で構成され、「＋」ボタン９０１を押すことにより設定枚数が増加され、「−」ボタン９０２を押すことにより設定枚数が減少される。また、コピー枚数設定ボタン９０は、押し続けることにより順次数字が増加又は減少し、押圧時間が長くなると増加又は減少速度が速くなるように設定されている。
【００４１】
液晶ディスプレイ７２の手前側には、液晶ディスプレイ７２に表示される設定項目を切り替えるメニューボタン９２が設けられている。メニューボタン９２は、左右に配置された２つのボタンで構成され、それぞれ左向きの矢印または右向きの矢印が表記されている。左右いずれかのメニューボタン９２が押される毎に、表示される設定項目が決められた順に順次切り替わり、一通り表示し終わると最初の設定項目が表示される。左右の矢印は、設定項目を表示する順番を変更するためであり、両ボタン９２は、互いに他のボタンを押した際の表示順と逆の順番で設定項目を表示する。このメニューボタン９２もコピー枚数設定ボタン９０と同様に押し続けることにより、切り替わる速度が速くなるように設定されている。
【００４２】
＝＝＝スキャナ部１０の構成＝＝＝
スキャナ部１０は、原稿５が載置される原稿台ガラス１２と、原稿台ガラス１２に載置された原稿５の読み取り面を原稿台ガラス１２側に押圧するための原稿台カバー１４と、原稿台ガラス１２を介して対向し原稿５と一定の間隔を保ちながら原稿５に沿って走査する読取キャリッジ１６と、読取キャリッジ１６を走査するための駆動手段１８と、読取キャリッジ１６を安定した状態にて走査させるための規制ガイド２０とで構成されている。
【００４３】
読取キャリッジ１６は、原稿台ガラス１２を介して原稿５に光を照射するための光源としての露光ランプ２２と、原稿５による反射光を集光させるレンズ２４と、原稿５による反射光をレンズ２４に導くための４枚のミラー２６と、レンズを透過した反射光を受光するＣＣＤセンサ２８と、前記規制ガイド２０と係合するガイド受け部２９とで構成されている。
【００４４】
ＣＣＤセンサ２８は、光信号を電気信号に変換するフォトダイオードが列状に配置された３本のリニアセンサで構成され、これら３本のリニアセンサは平行に配置されている。ＣＣＤセンサ２８は、図示しないＲ（レッド）、Ｇ（グリーン）、Ｂ（ブルー）の３つのフィルタを備え、リニアセンサ毎に異なる色のフィルタが設けられている。各リニアセンサはフィルタの色に対応した成分の光をそれぞれ検出する。例えば、Ｒのフィルタを備えたリニアセンサは赤色成分の光の強弱を検出する。３本のリニアセンサは、読取キャリッジ１６の移動方向（以下、副走査方向という）にほぼ直交する方向（以下、主走査方向という）に沿わされて配置される。
【００４５】
ＣＣＤセンサ２８の長さは、読み取り可能な原稿５の幅（主走査方向の長さ）より十分に短いため、原稿５の反射光による像は、レンズ２４によって縮小させてＣＣＤセンサ２８上に結像させることになる。すなわち、原稿５とＣＣＤセンサ２８との間に介在されるレンズ２４は、ＣＣＤセンサ２８側に近づけて配置するとともに、原稿５とレンズ２４との距離を長く設定する必要があり長い光路長が要求される。このため、走査する読取キャリッジ１６の限られたスペースの中で原稿５とレンズ２４との距離を確保すべく４枚のミラー２６にて反射させて長い光路長を確保している。
【００４６】
また、原稿５による反射光は、４枚のミラー２６によって反射されレンズ２４を透過してＣＣＤセンサ２８に至るが、３本のリニアセンサは平行に配置されているため、各リニアセンサに同時に結像する反射光の原稿に対する反射位置は、リニアセンサの間隔分だけ副走査方向にズレが生じることになる。このため、制御回路５０のスキャナコントロールユニット５８（図８）では、このズレを補正するためのライン間補正処理が行われる。ライン間補正処理については後述する。
【００４７】
前記規制ガイド２０は、副走査方向に沿って設けられ、ステンレス製の円筒材で形成されている。この規制ガイド２０は、読取キャリッジ１６に設けられ、スラスト軸受けでなる２カ所のガイド受け部２９を貫通している。読取キャリッジ１６に設けられた２カ所のガイド受け部２９の副走査方向における間隔を広げることにより、読取キャリッジ１６を安定させて走査させることが可能となる。
【００４８】
駆動手段１８は、読取キャリッジ１６に固定された環状のタイミングベルト１８１と、このタイミングベルト１８１と噛み合うプーリ１８２を備え、副走査方向の一方の端部側に配置されたパルスモータ１８３と、他方の端部側に配置されてタイミングベルト１８１に張力を付与するアイドラプーリー１８４とで構成されている。このパルスモータ１８３は、制御回路５０のスキャナコントロールユニット５８（図８）により駆動されるが、パルスモータ１８３の速度に応じて変更される読取キャリッジ１６の走査速度により、読み取った画像を副走査方向に拡大及び縮小することが可能となる。
【００４９】
そして、スキャナ部１０では、露光ランプ２２の光を原稿５に照射し、その反射光をＣＣＤセンサ２８上に結像させつつ、読取キャリッジ１６を原稿５に沿って移動させる。このとき、ＣＣＤセンサ２８が受光した光量を示す電圧値として所定の周期で読み込むことにより、１周期の間に読み取りキャリッジ１６が移動した距離分の画像を、出力する画像の１ライン分のデータとして取り込んでいく。このとき、１ライン分のデータとして、Ｒ成分、Ｇ成分、Ｂ成分の３つのデータが取り込まれる。
【００５０】
＝＝＝プリンタ部３０の構成＝＝＝
プリンタ部３０は、カラー画像の出力が可能な構成であり、例えば、シアン（Ｃ）、マゼンタ（Ｍ）、イエロ（Ｙ）、ブラック（Ｋ）の４色の色インクを、印刷用紙等の媒体上に吐出してドットを形成することによって画像を形成するインクジェット方式を採用している。なお、色インクとして、上記４色に加えて、ライトシアン（薄いシアン、ＬＣ）、ライトマゼンタ（薄いマゼンタ、ＬＭ）、ダークイエロ（暗いイエロ、ＤＹ）を用いてもよい。
【００５１】
次に、図３、図６、図７を参照してプリンタ部３０について説明する。図６は印刷ヘッド周辺の配置を示した説明図、図７は印刷用紙搬送機構の駆動部を説明するための説明図である。
【００５２】
プリンタ部３０は、図示するように、書込キャリッジ３６に搭載された印刷ヘッド３８を駆動してインクの吐出及びドット形成を行う機構と、この書込キャリッジ３６をキャリッジモータ４０によって用紙７の搬送方向と直交する方向に往復動させる機構と、紙送りモータ（以下、ＰＦモータともいう）４２によって給紙トレー３２１（図１参照）から供給される用紙７を搬送する機構とを有している。
【００５３】
インクの吐出及びドット形成を行う機構は、インク吐出部としての複数のノズルを備えた印刷ヘッド３８を備え、印刷指令信号に基づいて所定のノズルからインクを吐出させる。印刷ヘッド３８の下面３８１には、用紙７の搬送方向に沿って、複数のノズルが列をなし、用紙７の搬送方向と直交する方向に複数列設けられている。印刷ヘッド３８及びノズル配列の詳細は後述する。印刷ヘッド３８には各ノズルに対応させて１６ビットのメモリを備えており、後述するヘッドコントロールユニット６８（図１０）からは、各ノズルに１６ビット単位でデータが転送される。
【００５４】
書込キャリッジ３６を往復動させる機構は、書込キャリッジ３６を駆動するキャリッジモータ（以下、ＣＲモータともいう）４０と、用紙７の搬送方向と直交する方向に設けられ、書込キャリッジ３６を摺動可能に保持する摺動軸４４と、書込キャリッジ３６に固定されたリニア式エンコーダ４６と、所定の間隔にスリットが形成されたリニア式エンコーダ用符号板４６１と、キャリッジモータ４０の回転軸に取付けられたプーリ４８と、プーリ４８によって駆動されるタイミングベルト４９から構成されている。
【００５５】
書込キャリッジ３６には、印刷ヘッド３８と、この印刷ヘッド３８と一体に設けられたカートリッジ装着部が固定され、このカートリッジ装着部には、黒（Ｋ）、シアン（Ｃ）、マゼンタ（Ｍ）、イエロ（Ｙ）等のインクが収容されたインクカートリッジが装着される。
【００５６】
給紙トレー３２１から供給される用紙７を搬送する機構は、前記印刷ヘッド３８と対向して配置され、用紙７と印刷ヘッド３８とが適切な距離となるように用紙７を案内する案内部材としてのプラテン３５と、このプラテン３５に対し用紙７の搬送方向の上流側に設けられ、供給された用紙７をプラテン３５に所定の角度にて接触するように搬送する搬送ローラ３７と、プラテン３５に対し用紙７の搬送方向の下流側に設けられ、搬送ローラ３７から外れた用紙７を搬送して排紙するための排紙ローラ３９と、搬送ローラ３７及び排紙ローラ３９を駆動するためのＰＦモータ４２と、用紙７の搬送量を検出するためのロータリ式エンコーダ４７と、用紙７の有無及び用紙７の先端・後端を検出するための用紙検出センサ４５とを有している。
【００５７】
搬送ローラ３７は用紙７の搬送経路下側に設けられており、その上側には搬送ローラ３７と対向させて用紙７を保持するための従動ローラ３７１が設けられている。排紙ローラ３９も用紙７の搬送経路下側に設けられて、その上側に排紙ローラ３９と対向させて用紙７を保持するための従動ローラ３９１が設けられているが、排紙ローラ３９と対向する従動ローラ３９１は薄板でなり外周部に細かな歯が設けられたローラであり、印刷後の用紙７の表面と接触してもインクが擦れないように構成されている。
【００５８】
また、搬送ローラ３７と用紙７との接触位置は、プラテン３５と用紙７との接触位置より高くなるように配置されている。すなわち搬送ローラ３７から搬送された用紙７はプラテン３５と所定の角度にて接触し、さらに搬送される。これにより、用紙７はプラテン３５の後述する案内面３５１に押し付けられるように沿わされて搬送される。このため、プラテン３５によって用紙７をノズルから適正な位置に維持させて良好な画像を得ることが可能となる。
【００５９】
また、搬送ローラ３７と排紙ローラ３９とは、ギア列３１により繋げられ、ＰＦモータ４２の回転が伝達されて回動され、両ローラ３７，３９による用紙７の搬送速度は一致している。
【００６０】
プラテン３５は、印刷ヘッド３８の下面３８１、即ちノズルが設けられている面と対向し、用紙７を接触させて案内する案内面３５１を有している。この案内面３５１は、印刷ヘッド３８下面３８１のノズルが設けられている領域より狭く形成され、用紙７の搬送方向における最上流側および最下流側に位置するノズルの幾つかはプラテン３５と対向していない。これにより、用紙７の先端及び後端を印刷する際に、用紙７の外側に吐出したインクがプラテン３５に付着することを防止し、その後搬送される用紙７の裏面が汚れることを防止している。すなわち、上流側端及び下流側端のノズルと対向する位置にはプラテン３５を設けることなく空間としている。そしてこの空間部分には、プラテン３５の案内面３５１より低い位置にインク受けを備え、不要なインクを回収してプリンタ内が汚れないようにしている。
【００６１】
用紙検知センサ４５は、搬送ローラ３７より搬送方向の上流側に設けられ、用紙７の搬送経路より高い位置に回動中心を持つレバー４５１とその上方に設けられ、発光部と受光部とを有する透過型光センサ４５２とを有している。レバー４５１は、自重によって搬送経路に垂れ下がるように配置され給紙トレー３２１から供給された用紙７によって回動される作用部４５３と、この作用部４５３と回動中心を挟んで反対側に位置し、発光部と受光部との間を通過するように設けられた遮光部４５４とで構成されている。そして、用紙検知センサ４５は、供給された用紙７によりレバー４５１が押され、用紙７が所定位置に達すると遮光部４５４は発光部が発した光を遮るため、用紙７が所定の位置に達したことが検出される。その後、搬送ローラ７により用紙７が搬送されて、用紙７の後端が通過すると、レバー４５１は自重によって垂れ下がり、遮光部４５４が発光部と受光部との間から外れ、発光部の光が受光部に受光され、用紙７の後端が所定の位置に到達することを検出する。したがって、遮光部４５４が発光部の光を遮っている間は、少なくとも搬送経路内に用紙７が存在することが検出される。
【００６２】
＝＝＝ノズルの構成について＝＝＝
図８は、印刷ヘッド３８の下面３８１におけるノズルの配列を示す説明図である。  
印刷ヘッド３８の下面３８１には、ブラックインクノズル列３３（Ｋ）と、シアンインクノズル列３３（Ｃ）と、マゼンタインクノズル列３３（Ｍ）と、イエローインクノズル列３３（Ｙ）が形成されている。各ノズル列３３は、各色のインクを吐出するための吐出口であるノズルを複数個（本実施形態では１０個）備えている。
【００６３】
各ノズル列３３の複数のノズルは、紙搬送方向に沿って、一定の間隔（ノズルピッチ：ｋ・Ｄ）でそれぞれ整列している。ここで、Ｄは、紙搬送方向における最小のドットピッチ（つまり、用紙３２に形成されるドットの最高解像度での間隔）であり、例えば、解像度が７２０ｄｐｉであれば１／７２０インチ（約３５．３μｍ）である。また、ｋは、１以上の整数である。  
また、各ノズル列３３のノズルは、下流側のノズルほど小さい番号が付され、それぞれ第１ノズルＮ１〜第１０ノズルＮ１０とする。各ノズルには、各ノズルを駆動してインク滴を吐出させるための駆動素子としてピエゾ素子（不図示）が設けられている。
【００６４】
なお、印刷時には、用紙７が搬送ローラ３７及び排紙ローラ３９によって間欠的に所定の搬送量Ｆで搬送され、その間欠的な搬送の間に書込キャリッジ３６が走査方向に移動して各ノズルからインク滴が吐出される。
【００６５】
＝＝＝印刷ヘッドの駆動＝＝＝
次に、印刷ヘッド３８の駆動について、図９を参照しつつ説明する。図９は、ヘッドコントロールユニット６８（図１０）内に設けられた駆動信号発生部の構成を示すブロック図である。
【００６６】
図９において、駆動信号発生部は、複数のマスク回路２０４と、原駆動信号発生部２０６と、駆動信号補正部２３０とを備えている。マスク回路２０４は、印刷ヘッド３８のノズルＮ１〜Ｎ１０をそれぞれ駆動するための複数のピエゾ素子に対応して設けられている。なお、図９において、各信号名の最後に付されたかっこ内の数字は、その信号が供給されるノズルの番号を示している。原駆動信号発生部２０６は、ノズルＮ１〜Ｎ１０に共通に用いられる原駆動信号ＯＤＲＶを生成する。この原駆動信号ＯＤＲＶは、一画素分の主走査期間内に、第１パルスＷ１と第２パルスＷ２の２つのパルスを含む信号である。駆動信号補正部２３０は、マスク回路２０４が整形した駆動信号波形のタイミングを復路全体で前後にずらし、補正を行う。この駆動信号波形のタイミングの補正によって、往路と復路におけるインク滴の着弾位置のズレが補正される、すなわち、往路と復路におけるドットの形成位置のズレが補正される。
【００６７】
図９に示すように、入力されたシリアル印刷信号ＰＲＴ（ｉ）は、原駆動信号発生部２０６から出力される原駆動信号ＯＤＲＶとともにマスク回路２０４に入力される。このシリアル印刷信号ＰＲＴ（ｉ）は、一画素当たり２ビットのシリアル信号であり、その各ビットは、第１パルスＷ１と第２パルスＷ２とにそれぞれ対応している。
【００６８】
そして、マスク回路２０４は、シリアル印刷信号ＰＲＴ（ｉ）のレベルに応じて原駆動信号ＯＤＲＶをマスクするためのゲートである。すなわち、マスク回路２０４は、シリアル印刷信号ＰＲＴ（ｉ）が１レベルのときには原駆動信号ＯＤＲＶの対応するパルスをそのまま通過させて駆動信号ＤＲＶとしてピエゾ素子に供給し、一方、シリアル印刷信号ＰＲＴ（ｉ）が０レベルのときには原駆動信号ＯＤＲＶの対応するパルスを遮断する。
【００６９】
＝＝＝（第１実施形態）制御回路５０の内部構造＝＝＝
図１０は、第１実施形態の制御回路５０の一例を示すブロック図である。  
ＳＰＣ複合装置１の制御回路５０は、ＳＰＣ複合装置１全体の制御を司るＣＰＵ５４と、制御のためのプログラムを記憶したＲＯＭ５５と、スキャナ機能、プリント機能、ローカルコピー機能の各制御を司る制御ＡＳＩＣ５１と、ＣＰＵ５４から直接データを読み書き可能なＳＤＲＡＭ５６と、入力手段としての操作パネル部７０とがバスによって繋がっている。制御ＡＳＩＣ５１には、スキャナユニット１０、印刷ヘッド３８、および制御ＡＳＩＣ５１から直接データを読み書き可能なＡＳＩＣ用ＳＤＲＡＭ６９などが繋げられている。
【００７０】
制御ＡＳＩＣ５１は、スキャナコントロールユニット５８と、２値化処理ユニット６０と、インターレース処理ユニット６２と、イメージバッファユニット６４と、ＣＰＵインターフェイスユニット（以下、ＣＰＵＩＦユニットという）６６と、ヘッドコントロールユニット６８と、外部のホストコンピュータ３との入出力手段としてのＵＳＢインターフェイス（以下、ＵＳＢＩＦという）５２と、スキャナ部１０及びプリンタ部３０が備える各モータやランプ等のドライバを備えている。また、制御ＡＳＩＣ用ＳＤＲＡＭ６９には、ラインバッファ６９１、インターレースバッファ６９２、イメージバッファ６９３がそれぞれ割り当てられている。制御ＡＳＩＣ５１とＡＳＩＣ用ＳＤＲＡＭ６９との間では、データ転送の高速化を図るためにデータの転送単位を６４ｂｉｔとする所謂バースト転送が行われる。
【００７１】
スキャナコントロールユニット５８は、スキャナ部１０が備える露光ランプ２２、ＣＣＤセンサ２８、読取キャリッジ駆動モータとしてのパルスモータ１８３等の各制御や、ＣＣＤセンサ２８を介して読み込んだデータを、ラインバッファ６９１を介して２値化処理ユニット６０に送出する機能を有する。  
２値化処理ユニット６０は、送出された多階調のＲＧＢデータをＣＭＹＫの２値データに変換し、インターレース処理ユニット６２に送出する機能を有する。
【００７２】
インターレース処理ユニット６２は、１ラスタライン（印刷画像における主走査方向の１ライン）を複数回の書込キャリッジ３６の走査にて印刷する所謂オーバーラップ印刷する際には、１ラスタラインのＣＭＹＫのデータを書込キャリッジ３６の走査毎に印刷するデータに振り分けてオーバーラップ印刷対応データ（以下、ＯＬ対応データという）を生成する機能を有する。生成されたＯＬ対応データは、ＡＳＩＣ用ＳＤＲＡＭ６９のインターレースバッファ６９２に記憶される。  
また、インターレース処理ユニット６２では、インターレースバッファ６９２に記憶されたデータを、インターレース処理ユニット６２内のＳＲＡＭ６２１に所定のサイズ毎に読み出して、ＳＲＡＭ６２１上で、ノズル配列に対応させるべく並び替えてイメージバッファユニット６４に送出する機能を有する。  
イメージバッファユニット６４では、インターレース処理ユニット６２から送出されたデータを、書込キャリッジ３６の走査毎の各ノズルにインクを吐出させるためのヘッド駆動データを生成する機能を有する。
【００７３】
ＣＰＵＩＦユニット６６は、制御ＡＳＩＣ５１に接続された制御ＡＳＩＣ用ＳＤＲＡＭ６９へのＣＰＵ５４からのアクセスを可能とする機能を有している。本制御回路５０においては、イメージバッファユニット６４により生成されたヘッド駆動データに基づいてヘッドコントロールユニット６８を駆動する際に用いられる。  
ヘッドコントロールユニット６８は、ＣＰＵ５４の制御によりヘッド駆動データに基づいて印刷ヘッド３８を駆動しノズルからインクを吐出させる機能を有する。
【００７４】
＝＝＝（第１実施形態）制御回路５０内のデータの流れ＝＝＝
＜スキャナ機能時について＞
制御ＡＳＩＣ５１のＵＳＢＩＦ５２に接続されたホストコンピュータ３から、スキャナユニット１０による画像読み取り指令信号と、読み取り解像度、読み取り領域等の読み取り情報データとが制御回路５０に送信される。制御回路５０では、ＣＰＵ５４により画像読み取り指令信号と読み取り情報データとに基づいて、スキャナコントロールユニット５８が制御され、スキャナユニット１０による原稿５の読み取りが開始される。このとき、スキャナコントロールユニット５８では、ランプ駆動ユニット、ＣＣＤ駆動ユニット、読取キャリッジ走査駆動ユニット等が駆動され、所定の周期にてＣＣＤセンサ２８からＲＧＢデータが読み込まれる。読み込まれたＲＧＢデータは、ＡＳＩＣ用ＳＤＲＡＭ６９に割り振られたラインバッファ６９１に一旦蓄えられ、Ｒ、Ｇ、Ｂの各データのライン間補正処理が施され、ＵＳＢＩＦ５２を介してホストコンピュータ３に送出される。ライン間補正処理とは、スキャナ部１０の構造上発生するＲ、Ｇ、Ｂの各リニアセンサ間の読み取り位置のズレを補正する処理である。詳述すると、スキャナユニット１０が有するＣＣＤセンサ２８は、カラーセンサでありＲ（レッド）、Ｇ（グリーン）、Ｂ（ブルー）の３色に対し色毎に１ラインずつのリニアセンサを有している。これら３本のリニアセンサは、読取キャリッジ１６の走査方向に平行に並べられているため、原稿５の同一ラインに照射された反射光を同時に受光することができない。すなわち、原稿５の同一ラインに照射された反射光が各リニアセンサに受光される際には、時間的なズレが生じることになる。このため、リニアセンサの配列に伴う遅延時間分だけ遅れて送られてくるデータを同期させるための処理である。
【００７５】
＜プリンタ機能時について＞
プリンタ機能時には、制御ＡＳＩＣ５１のＵＳＢＩＦ５２に接続されたホストコンピュータ３のプリンタドライバにて、印刷すべき画像データをＳＰＣ複合装置１のプリンタ部３０にて印刷することが可能なヘッド駆動データに変換されてＵＳＢＩＦ５２から入力される。このヘッド駆動データは、例えば、インターレース方式の印刷をする場合には、印刷する画像の解像度と書込キャリッジ３６のノズル列３３が有するノズルのピッチ及び数に対応させたラスタデータを抽出し、書込キャリッジ３６の走査毎に印刷する順に並び換え、印刷ヘッド３８を駆動するための信号となるデータである。
【００７６】
ヘッド駆動データはＣＰＵ５４が直接読み取り可能なＳＤＲＡＭ５６に割り付けられたイメージバッファ５７に記憶される。イメージバッファ５７は書込キャリッジ３６の１回の走査により印刷するためのヘッド駆動データを記憶することができる容量を有するメモリ領域を２つ分備えている。そして、一方のイメージバッファ５７１に１回の走査分のデータが書き込まれると、ヘッドコントロールユニット６８に転送される。このとき、一方のイメージバッファ５７１のイメージデータがヘッドコントロールユニット６８に転送されると、他方のイメージバッファ５７２には次の走査の際に印刷するためのヘッド駆動データが記憶される。そして他方のイメージバッファ５７２に１回の走査分のデータが書き込まれると、ヘッドコントロールユニット６８に転送され、前記一方のイメージバッファ５７１にイメージデータが書き込まれる。このように、２つのイメージバッファ５７１，５７２を用いて、ヘッド駆動データの書き込み、読み出しを交互に行いながらヘッドコントロールユニット６８にて印刷ヘッド３８が駆動されて印刷が実行される。
【００７７】
＜コピー機能時について＞
次に、コピー機能時におけるデータの流れを説明する。ここでは、通常のコピー動作時のデータの流れのみを説明し、本実施形態のリピート印刷方式（コピー方式）については後述する。
【００７８】
スキャナユニット１０により読み込まれたデータは、スキャナコントロールユニット５８を介してラインバッファ６９１に取り込まれる。ラインバッファ６９１に取り込まれたＲＧＢデータは、前述したＲＧＢのライン間補正処理が順次施され、同一ラインに対するＲＧＢデータがスキャナコントロールユニット５８から２値化処理ユニット６０に送り込まれる。  
２値化処理ユニット６０に送り込まれたＲＧＢデータは、ハーフトーン処理された後、制御ＡＳＩＣ用ＳＤＲＡＭ６９内に格納されているルックアップテーブル（ＬＵＴ）６９５が参照されて、ＣＭＹＫの色毎の２値データに変換され、インターレース処理ユニット６２に送り込まれる。
【００７９】
インターレース処理ユニット６２に送り込まれたＣＭＹＫの２値データは、指定されたインターレース方式に基づいて、各ラスタラインの全データから書込キャリッジ３６の１回の走査毎に印刷されるデータに振り分けられる。例えば、１ラスタラインを書込キャリッジ３６の２回の走査にて形成する場合には、ラスタラインの端から奇数番目のドットを形成するデータと、偶数番目のドットを形成するデータとに振り分けられてＯＬ対応データが生成される。このＯＬ対応データは、インターレースバッファ６９２に６４ｂｉｔずつバースト転送されて記憶される。
【００８０】
また、インターレース処理ユニット６２では、インターレースバッファ６９２に記憶されたデータを所定サイズ毎に読み出して、インターレース処理ユニット６２内のＳＲＡＭ６２１にバースト転送する。このとき、インターレースバッファ６９２からは、印刷する画像解像度とノズルピッチとに基づいて印刷ヘッド３８のノズル配列に対応させてＯＬ対応データが読み出される。例えば、印刷する画像の解像度が７２０ｄｐｉであり、ノズルピッチが１／１８０ｉｎｃｈの場合には、隣接するノズルにて印刷した２本のラスタライン間に３本のラスタラインが印刷されることになる。このため、ＯＬ対応データからは３ラスタラインずつ間隔を空けたデータが書込キャリッジ３６の走査に対応したデータとして読み出されることになる。
【００８１】
転送されたデータはＳＲＡＭ６２１上で、ノズル配列に対応させるべく並び替えられてイメージバッファユニット６４に送出される。  
イメージバッファユニット６４では、ＳＲＡＭ６２１の容量により細かくブロック化された画像データをイメージバッファ６９３にバースト転送し、書込キャリッジ３６の走査毎の各ノズルにインクを吐出させるためのヘッド駆動データとなるように整列させて記憶する。ここでイメージバッファ６９３，６９４は、書込キャリッジ３６の２回の走査分のヘッド駆動データを記憶するメモリ領域が割り当てられており、１回の走査分のヘッド駆動データが蓄積される毎に、ＣＰＵ５４によりヘッドコントロールユニット６８に送出されると共に、残りの１回の走査分のメモリ領域に次の走査に対応したヘッド駆動データの書き込みが開始される。この処理は、プリンタ機能の説明にて前述したイメージバッファの処理と同様である。
【００８２】
イメージバッファ６９３，６９４に記憶された走査毎のヘッド駆動データは、ＣＰＵ５４に制御されてＣＰＵＩＦユニット６６を介してＣＰＵ５４に読み込まれ、ＣＰＵ５４によりヘッドコントロールユニット６８に転送される。ヘッドコントロールユニット６８によりヘッド駆動データに基づいて印刷ヘッド３８が駆動され画像が印刷される。
【００８３】
＝＝＝第１実施形態の印刷方式＝＝＝
図１１は、本実施形態の印刷方式（コピー方式）を説明するための図である。同図において、５は原稿であり、表面に画像「Ａ」が表されている。７はＳＰＣ複合装置１によって印刷された用紙である。本実施形態の印刷方式によれば、用紙７に印刷される画像「Ａ」の数が自動的に計算され、画像「Ａ」を複数配列した印刷画像が用紙７に印刷される。以下、この印刷方式を「リピート印刷方式」と呼ぶ。
【００８４】
＜リピート印刷の処理動作について＞
図１２は、本実施形態のリピート印刷の処理動作の手順を説明するためのフロー図である。以下、図１１及び図１２を用いて、本実施形態のリピート印刷方式について、説明する。なお、このリピート印刷の処理動作手順に関するプログラムは、ＲＯＭ５５に格納されている。
【００８５】
まず、ユーザーは、ＳＰＣ複合装置Ａの給紙トレーに用紙７をセットする（Ｓ１０１）。また、ユーザーは、操作パネル部７０の各種のボタンを操作し、用紙７に関する情報を入力する。すなわち、まず、ユーザーは、メニューボタン９２によって、表示される設定項目を順次切り替え、設定項目である「印刷用紙」の表示画面にする。そして、ユーザーは、２つのボタン９０１，９０２を押して、設定値を「Ａ４用紙」に設定する。これにより、ＳＰＣ複合装置は、用紙に関する情報（用紙情報）を取得する。ただし、ユーザーが操作パネル部７０によって用紙の大きさを設定しない場合、用紙に関する設定値として、予め定められたデフォルト値が用いられる。以下の説明では、Ａ４サイズの単票状印刷用紙が複数枚セットされているものとする。
【００８６】
ＳＰＣ複合装置１のＳＤＲＡＭ５６には、印刷用紙とその用紙の印刷領域とを関連づけたテーブル（参照表）が記憶されている。そして、ＳＰＣ複合装置１は、取得した用紙情報をキーとしてテーブルを参照し、用紙の印刷領域に関する情報を取得する。本実施形態では、Ａ４サイズの用紙の印刷領域情報は、縦横の大きさがＸ１（ｍｍ）、Ｙ１（ｍｍ）であることを示しているものとする。
【００８７】
次に、ユーザーは、操作パネル部７０の各種のボタンを操作し、複数の印刷方式の中から本実施形態の「リピート印刷」を選択する（Ｓ１０２）。すなわち、まず、ユーザーは、メニューボタン９２によって表示される設定項目を順次切り替え、設定項目である「コピーモード」の表示画面にする。次に、ユーザーは、２つのボタン９０１，９０２を押すことによって、設定値を「リピート印刷」に設定する。これにより、ＳＰＣ複合装置１の印刷方式が「リピート印刷」に選択される。また、同様に、ユーザーは、操作パネル部７０の各種のボタンを操作し、余白の幅ｔの大きさを設定するこれにより、ＳＰＣ複合装置１は、余白に関する情報（余白情報）を取得する。。ただし、操作パネル部７０によって余白の幅ｔを設定しない場合、余白の幅の設定値として、予め定められたデフォルト値が用いられる。本実施形態では、余白情報は、幅がｔ（ｍｍ）であることを示しているものとする。
【００８８】
次に、ユーザーは、ＳＰＣ複合装置１のスキャナ部１０に原稿５をセットする（Ｓ１０３）。原稿５のセットの様子を、図１３Ａ〜図１３Ｃを用いて説明する。まず、ユーザーは、原稿台カバー１４を開き、原稿５を原稿台ガラス１２に載置する（図１３Ａ）。ユーザーは、原稿５を原稿台ガラス１２に載置するとき、画像「Ａ」が表された側を下面にし、原稿台ガラス１２の左奥の原点マーク１２２に原稿５の角を合わせる（図１３Ｂ）。そして、ユーザーは、原稿台カバー１４を閉め、原稿台ガラス１２上の原稿５を原稿台カバー１４によって原稿台ガラス１２側に押圧させる。これにより、原稿５がスキャナ部１０にセットされる。
【００８９】
次に、ユーザーは、リピート印刷の実行を指示する。リピート印刷の実行は、既にリピート印刷を行うことが設定されているので、ユーザーが操作パネル部７０のカラーコピーボタン８４又はモノクロボタン８６を押すことによって、開始される（Ｓ１０４）。  
次に、ＳＰＣ複合装置のスキャナ部１０が、プレスキャンを開始する（Ｓ１０５）。プレスキャンは、印刷を行うためのスキャン動作に先立って行われる動作である。このプレスキャンでは、印刷を行う際のスキャン動作の解像度と比較して、低い解像度で画像の読み取りが行われる。また、このプレスキャンでは、ＲＧＢのリニアセンサのうちのＧ（グリーン）のリニアセンサのみのデータを取得する。プレスキャンは、画像読み取り時の解像度が低く（解像度が粗く）、単一色のデータのみを取得するため、読み取られた画像のデータ量が小さいので、印刷を行う際のスキャン動作と比較して、速く画像を読み取ることができる。
【００９０】
次に、ＳＰＣ複合装置は、画像領域を判別する（Ｓ１０６）。画像領域は、画像が占める領域のＸ方向の最大座標（Ｘ２）と、画像が占める領域のＹ方向の最大座標（Ｙ２）とによって表される。すなわち、図１３Ｂのように原稿がまっすぐセットされていれば、原点マークに合わせた原稿の角と対角側の角の座標が（Ｘ２、Ｙ２）になる。ただし、図１３Ｃのように、原稿５が斜めにセットされた場合、点線で示される長方形の領域が画像領域となる。なお、Ｘ方向は読取キャリッジ１６の走査移動方向なので、Ｘ方向の画像領域の座標は、読取キャリッジ１６の駆動に関連づけられている。一方、Ｙ方向はＣＣＤセンサの走査方向なので、Ｙ方向の画像領域の座標は、ＣＣＤセンサの素子列に関連づけられている。以下の説明では、画像領域情報は、画像の縦横の大きさがＸ２（ｍｍ）、Ｙ２（ｍｍ）であることを示しているものとする。
【００９１】
次に、ＳＰＣ複合装置は、用紙１枚当たりに配置できる画像の数を決定する（Ｓ１０７）。画像の数は、用紙７に配置可能な最大数として決定される。用紙７に配置可能な最大数は、用紙の縦方向に配置可能な画像の最大数ｍと、用紙の横方向に配置可能な画像の最大数ｎと、の積（ｍ×ｎ）として算出される。用紙の縦方向に配置可能な画像の最大数ｍは、縦方向の印刷領域情報（Ｘ１）、縦方向の画像領域情報（Ｘ２）および余白情報（ｔ）に基づき、（Ｘ１−ｔ）÷（Ｘ２＋ｔ）の商として算出される。同様に、横に配置可能な画像の最大数ｎは、（Ｙ１―ｔ）÷（Ｙ２＋ｔ）の商として算出される。つまり、用紙に配置する画像の数は、印刷領域情報（Ｘ１、Ｙ１）と画像領域情報（Ｘ２、Ｙ２）と余白情報（ｔ）とに基づいて、決定される。本実施形態の場合、図１１に示されたように、用紙の縦方向に配置可能な画像の最大数ｍは５であり、用紙の横方向に配置可能な画像の最大数ｎは４であるので、用紙１枚当たりに配置できる画像の数は、２０になる。
【００９２】
次に、ＳＰＣ複合装置１は、表示部に、決定された画像の数を表示する（Ｓ１０８）。これにより、ユーザーは、用紙１枚当たりに印刷される画像「Ａ」の数を知ることができる。そして、ユーザーは、操作パネル部７０の２つのボタン９０１，９０２を押すことによって、「リピート印刷」を行う際の印刷枚数を設定することができる（Ｓ１０９）。このとき、ユーザーは１枚当たりに印刷される画像の数を知っているので、例えばユーザーが画像「Ａ」を１００個必要とするならば、印刷枚数を５枚に設定する。つまり、ＳＰＣ複合装置１が用紙１枚当たりに印刷される画像の数を表示部に表示することによって、ユーザーは、必要な枚数だけを設定できるので、用紙の無駄を防ぐことができる。
【００９３】
次に、ＳＰＣ複合装置のスキャン部が、原稿から画像を読み取る。この読取動作は、ユーザーが操作パネル部７０のカラーコピーボタン８４又はモノクロボタン８６を押すことによって、開始される（Ｓ１１０）。このときの画像の読み取り領域は、画像領域情報（Ｘ２、Ｙ２）によって指定される領域になる。なお、この読取動作の解像度は、前述のプレスキャンの際の解像度よりも高い。また、前述のプレスキャンでは単一色のデータのみを取得していたが、この読取動作では、ＲＧＢの各データを取得している。
【００９４】
次に、ＳＰＣ複合装置のプリンタ部は、読み取られた原稿の画像データに基づいて、１枚の紙に複数の画像を配置して、用紙に印刷を行う（Ｓ１１１）。用紙には、縦方向にｍ個、横方向にｎ個、計ｍ×ｎ個の画像が印刷される。また、用紙の端部と画像との間には、幅ｔの余白が設けられている。さらに、画像間にも、幅ｔの余白が設けられている。このように、用紙の端部と画像との間に設けられる余白の幅ｔは、画像間に設けられる余白の幅ｔと等しい（図１１参照）。  
なお、本実施形態のリピート印刷の際に、ＳＰＣ複合装置１が画像の配置をどのように行っているかは、後の説明から明らかにされる。
【００９５】
＜リピート印刷時の制御回路５０内でのデータの流れについて＞
図１４は、リピート印刷の際の制御回路５０の一例を示すブロック図である。前述の図１０では、書き込みと読み出しを交互に行うためにイメージバッファ５７１，５７２（又はイメージバッファ６９３，６９４）として２つのバッファが描かれていたが、図１４では説明の簡略化のため、書き込みと読み出しを交互に行うための２つのバッファは描かれていない。
【００９６】
前述の図１０の制御回路５０と比べ、ハード構成は同じだが、ＣＰＵ５４が直接読み取り可能なＳＤＲＡＭ５６内のメモリ領域の割り当てなどが異なる。また、前述の図１０ではＣＰＵ５４はイメージバッファ６９４のみとアクセスしていたが、図１４では、ＣＰＵ５４は、ラインバッファ６９１およびインターレースバッファ６９２にもアクセスしている。また、インターレースバッファ６９２は、メモリ領域の割り当てが２つに分けられ、論理的に２つのバッファになっている。
【００９７】
以下、図１４を用いて、リピート印刷の際の制御回路５０内でのデータの流れについて、説明する。なお、このリピート印刷の際の制御回路５０内でのデータの流れを制御するプログラムは、ＲＯＭ５５に格納されている。
【００９８】
（１）まず、プレスキャン開始から画像数表示までの間の制御回路５０内でのデータの流れについて、説明する。  
ＣＰＵ５４は、操作パネル部７０から「リピート印刷」の設定後にカラーコピーボタン８４又はモノクロボタン８６の入力信号を受けて、スキャナコントロールユニット５８に制御信号を送信する。スキャナコントロールユニット５８は、ＣＰＵ５４からの制御信号に基づいて、スキャナ部１０を制御し、プレスキャン動作による原稿５の画像の読み取りを開始する。
【００９９】
プレスキャン動作は、ＲＧＢのリニアセンサのうちのＧのリニアセンサのみのデータが、スキャナコントロールユニット５８を介してラインバッファ６９１に取り込まれる。前述の通り、プレスキャン動作では、画像読み取り時の解像度が低く（解像度が粗く）、単一色のデータのみを取得する。これにより、プレスキャン動作時にラインバッファ６９１に取り込まれるデータ量を小さくできるので、データの処理の負担を軽減でき、プレスキャンでは画像の読取動作を速く行うことができる。  
そして、プレスキャン動作によって取り込まれたラインバッファ６９１のデータは、画像領域情報を得るため、２値データに変換される前に、ＣＰＵ５４が直接読み取り可能なＳＤＲＡＭ５６に送り込まれる。  
ＣＰＵ５４は、ＳＤＲＡＭに送り込まれたデータを解析することによって、画像領域を判別する。本実施形態では、読取キャリッジ１６の移動方向（副走査方向）をＸ方向、ＣＣＤセンサ２８を構成するリニアセンサに平行な方向（主走査方向）をＹ方向とし、画像領域のＸ方向およびＹ方向の最大値（Ｘ２、Ｙ２）を解析する。その結果、ＣＰＵ５４は、画像領域情報（Ｘ２、Ｙ２）を取得する。
【０１００】
本実施形態では、ＣＰＵ５４は、原点（０，０）から（Ｘ２、Ｙ２）を対角線とする長方形を画像領域として判断する。したがって、図１３Ｂのように、長方形の原稿５の角が原点マーク上にあって、原稿がまっすぐにセットされていれば、原点マークに合わせた原稿の角と対角側の角の座標が（Ｘ２、Ｙ２）になる。ただし、図１３Ｃのように、原稿５が斜めにセットされた場合、原稿５が存在しない領域があっても、画像領域として判別されることになる。
【０１０１】
ＣＰＵ５４は、画像領域情報を取得した後、用紙１枚当たりの画像の数を決定する。なお、用紙の印刷領域情報（Ｘ１、Ｙ１）や余白情報（ｔ）など、画像の数の決定に必要な情報はプレスキャン動作前に既に取り込まれている（Ｓ１０１、Ｓ１０２）。したがって、既に説明された通り、用紙の縦方向に配置可能な画像の最大数ｍと、用紙の横方向に配置可能な画像の最大数ｎと、が算出可能である。
【０１０２】
（２）次に、スキャン開始からリピート印刷終了までの間の制御回路５０内でのデータの流れについて、説明する。なお、前述の説明では、１ラスタラインを書込キャリッジ３６の２回の走査にて形成していたが、説明の簡略化のため、１ラスタラインは書込キャリッジ３６の１回の走査にて形成されるものとする（つまり、奇数番目と偶数番目とにラスタラインのドットデータが振り分けられない状態で、以下に説明される）。
【０１０３】
ＣＰＵ５４は、操作パネル部７０から印刷枚数の設定後にカラーコピーボタン８４又はモノクロボタン８６の入力信号を受けて、スキャナコントロールユニット５８に制御信号を送信する。この制御信号には、読み取り領域に関する情報として、画像領域情報（Ｘ２、Ｙ２）に関する情報が含まれている。そして、スキャナコントロールユニット５８は、ＣＰＵ５４からの制御信号に基づいて、スキャナ部１０を制御し、画像領域情報によって指定された領域の画像の読み取りを開始する。
【０１０４】
スキャナコントロールユニット５８は、スキャナ部１０を制御し、所定の周期にてＣＣＤセンサから出力されるＲＧＢデータをラインバッファ６９１に取り込む。そして、スキャナコントロールユニット５８は、ラインバッファ６９１に一旦取り込まれたＲＧＢデータに対してＲＧＢのライン間補正処理（前述）し、同一ラインに対するＲＧＢデータを２値化処理ユニット６０に送り込む。
【０１０５】
２値化処理ユニット６０は、送り込まれたＲＧＢデータをハーフトーン処理する。そして、２値化処理ユニット６０は、制御ＡＳＩＣ用ＳＤＲＡＭ６９内に格納されているルックアップテーブル（ＬＵＴ）６９５を参照し、ハーフトーン処理されたデータをＣＭＹＫの色毎の２値データに変換する。２値化ユニット６０は、ＣＭＹＫの色毎の２値データをインターレース処理ユニット６２に送り込む。  
インターレース処理ユニット６２は、２値化処理ユニット６０から送り込まれたＣＭＹＫの色毎の２値データを、２つに分けられたインターレースバッファのうちの一方のインターレースバッファ（第１インターレースバッファ６９２Ａという）に取り込む。そして、第１インターレースバッファ６９２Ａに取り込まれた２値データは、ＣＰＵインターフェイスユニット６６を介して、ＣＰＵ５４が直接読み取り可能なＳＤＲＡＭ５６内のレイアウトバッファ５７３に送り込まれる。
【０１０６】
レイアウトバッファ５７３は、ＳＤＲＡＭ内に割り当てられたバッファであり、論理的に２つの領域に分けられている。２つの領域のうちの一方のレイアウトバッファ（第１レイアウトバッファ）５７３Ａには、第１インターレースバッファ６９２Ａから送り込まれた２値データが取り込まれる。他方のレイアウトバッファ（第２レイアウトバッファ（中間バッファとも言う））５７３Ｂには、以下に説明される通り、第１レイアウトバッファ５７３Ａの２値データに基づいて作成されたレイアウトイメージデータが記憶される。
【０１０７】
図１５は、第１レイアウトバッファ５７３Ａに送り込まれる２値データの概念図である。２値データは、連続するメモリ領域に記憶されているが、画像領域（前述）の幅で折り返して並べれば、同図に示される通りの画像情報になる（この説明では、説明の簡略化のため、１ラスタラインは書込キャリッジ３６の１回の走査にて形成されるものとしているので、画像情報は１つになる）。  
ＣＰＵ５４は、第１レイアウトバッファ５７３Ａに取り込まれた２値データに基づいて、レイアウトイメージデータを作成する。ただし、作成されたレイアウトイメージデータを記憶する第２レイアウトバッファ５７３Ｂは、用紙の横幅分のラインデータを数ライン分しか記憶できる領域しか割り当てられていない。したがって、ＣＰＵ５４は、ライン状のレイアウトイメージデータを作成し、作成されたレイアウトイメージデータを第２レイアウトバッファ５７３Ｂに送り込む。そして、第２レイアウトバッファ５７３Ｂに送り込まれた数ライン分のレイアウトイメージデータは、順次制御ＡＳＩＣ用ＳＲＡＭ６９内の第２インターレースバッファ６９２Ｂに送り込まれる。
【０１０８】
図１６Ａ〜図１６Ｅは、第２レイアウトバッファ５７３Ｂに送り込まれるレイアウトイメージデータの概念図である。レイアウトイメージデータは、連続するメモリ領域に記憶されているが、用紙の幅で折り返して並べれば、同図に示される通り、縦方向に数ライン分のレイアウトイメージ（印刷画像の一部）になる。
【０１０９】
レイアウトイメージデータの作成は、以下のように行われる。まず、ＣＰＵ５４は、紙の上端から画像までの間の余白に相当するイメージデータを作成するため、余白分のＮｕｌｌデータを作成する（図１６Ａ）。余白の幅ｔ分のＮｕｌｌデータが作成された後、ＣＰＵ５４は、第１レイアウトバッファ５７３Ａに取り込まれた２値データを横方向（用紙の幅方向）にｎ個配列したレイアウトイメージを作成する（図１６Ｂ）。ただし、２値データを配列する際、ＣＰＵ５４は、用紙の側端から画像までの間に幅ｔ分のＮｕｌｌデータを挿入する。これにより、レイアウトイメージに幅ｔの横方向の余白が作成される。２値データを繰り返し並べて配列させる際、ＣＰＵ５４は、同じ２値データ（第１レイアウトバッファ５７３Ａに取り込まれている２値データ）を利用する。したがって、レイアウトイメージには、同じ画像が横方向（用紙の幅方向）に繰り返し並べられることになる。画像を横方向に繰り返し並べたレイアウトイメージを作成する作業は、画像の縦方向の領域分だけ行われる（図１６Ｂ〜図１６Ｄ）。画像の縦方向の領域分のレイアウトイメージの作成が終わると、ＣＰＵ５４は、画像と画像との間の余白分のイメージデータを作成するため、再び余白分のＮｕｌｌデータを作成する（図１６Ｅ）。これにより、レイアウトイメージに幅ｔの縦方向の余白が作成される。以下、用紙の縦方向に画像がｍ個配列されるまで、同様の作業が繰り返される（図１６Ｂ〜図１６Ｅ）。なお、上記のように随時作成されるレイアウトイメージデータは、順次制御ＡＳＩＣ用ＳＲＡＭ６９内の第２インターレースバッファ６９２Ｂに送り込まれる。なお、第２インターレースバッファ６９２Ｂに送り込まれるレイアウトイメージデータは、ＣＭＹＫの色毎の２値データである。
【０１１０】
上記のように作成されたレイアウトイメージは、横方向にｎ個の画像が配列され、それ以上の画像は配列されていない。仮に横方向にｎ＋１個の画像を配列したとすると、用紙の横方向の長さが足りないので、途切れた画像が用紙に印刷されるからである。同様に、上記のように作成されたレイアウトイメージは、縦方向にｍ個の画像が配列され、それ以上の画像は配列されていない。仮に縦方向にｍ＋１個の画像を配列したとすると、用紙の縦方向の長さが足りないので、途切れた画像が用紙に印刷されるからである。このように、本実施形態によれば、途中で途切れた画像が用紙に印刷されることがないので、無駄にインクを使用せずに済む。また、本実施形態によれば、印刷領域に最大数の画像を配列することができる。
【０１１１】
第２レイアウトバッファ５７３Ｂから第２インターレースバッファ６９２Ｂに２値データ（レイアウトイメージデータ）が送り込まれた後の処理は、前述のコピー機能時の処理とほぼ同様である。すなわち、以下のような処理が行われる（但し、説明の簡略化のため、書き込みと読み出しを交互に行う処理に関しては説明を省略する）。
【０１１２】
インターレース処理ユニット６２では、第２インターレースバッファ６９２Ｂに記憶されたデータを所定サイズ毎に読み出して、インターレース処理ユニット６２内のＳＲＡＭ６２１にバースト転送する。このとき、インターレースバッファ６９２からは、印刷する画像解像度とノズルピッチとに基づいて印刷ヘッド３８のノズル配列に対応させて２値データが読み出される。例えば、印刷する画像の解像度が７２０ｄｐｉであり、ノズルピッチが１／１８０ｉｎｃｈの場合には、隣接するノズルにて印刷した２本のラスタライン間に３本のラスタラインが印刷されることになる。このため、２値データからは３ラスタラインずつ間隔を空けたデータが書込キャリッジ３６の走査に対応したデータとして読み出されることになる。
【０１１３】
転送されたデータはＳＲＡＭ６２１上で、ノズル配列に対応させるべく並び替えられてイメージバッファユニット６４に送出される。  
イメージバッファユニット６４では、ＳＲＡＭ６２１の容量により細かくブロック化された画像データをイメージバッファ６９３にバースト転送し、書込キャリッジ３６の走査毎の各ノズルにインクを吐出させるためのヘッド駆動データとなるように整列させて記憶する。  
イメージバッファ６９３，６９４に記憶された走査毎のヘッド駆動データは、ＣＰＵ５４に制御されてＣＰＵＩＦユニット６６を介してＣＰＵ５４に読み込まれ、ＣＰＵ５４によりヘッドコントロールユニット６８に転送される。ヘッドコントロールユニット６８によりヘッド駆動データに基づいて印刷ヘッド３８が駆動され画像が印刷される。  
これにより、本実施形態では、図１１に示されるように、用紙７に画像「Ａ」を繰り返して複数配列した印刷画像を印刷することができる。
【０１１４】
（３）次に、２枚目以降の用紙を印刷するときのデータの流れについて、説明する。 
モノクロによるリピート印刷の場合、モノクロの画像の情報はカラーの画像の情報と比較して小さいので、制御ＡＳＩＣ用ＳＤＲＡＭ６９の第２インターレースバッファ６９２Ｂは、用紙１枚分のレイアウトイメージデータを格納することができる。つまり、２枚目以降の印刷の際に、制御ＡＳＩＣ用ＳＤＲＡＭ６９の第２インターレースバッファ６９２Ｂに格納されたレイアウトイメージデータを用いて印刷を行うことができる。したがって、モノクロによるリピート印刷の場合、このレイアウトイメージデータをノズル配列に対応させてイメージバッファ６４に送り出し、イメージバッファで整列されたヘッド駆動データをＣＰＵ５４経由でヘッドコントロールユニットに転送し、画像を印刷する。
【０１１５】
カラーによるリピート印刷の場合、画像のデータ量が多いので、制御ＡＳＩＣ用ＳＤＲＡＭ６９の第２インターレースバッファ６９２Ｂは、用紙１枚分のレイアウトイメージデータを格納することができない。一方、ＣＰＵ５４が直接読み取り可能なＳＤＲＡＭ５６の第１レイアウトバッファ５７３Ａには、１つの画像（例えば「Ａ」）のデータを格納するだけの領域が確保されている。したがって、カラーによるリピート印刷の場合、第１レイアウトバッファ５７３Ａに格納されたデータを利用して第２レイアウトバッファ５７３Ｂにレイアウトイメージデータを作成し、このレイアウトイメージデータを第２インターレースバッファ６９２Ｂに送り出し、イアウトイメージデータをノズル配列に対応させてイメージバッファ６４に送り出し、イメージバッファで整列されたヘッド駆動データをＣＰＵ５４経由でヘッドコントロールユニットに転送し、画像を印刷する。
【０１１６】
本実施形態では、２枚目以降の印刷を上記のように処理することによって、スキャナ部による原稿の画像の読取動作を減らせるので、印刷速度を速めることができる。  
ただし、ＣＰＵ５４が直接読み取り可能なＳＤＲＡＭには、１つの画像のデータを格納するだけの領域が確保される必要がある。一方、リピート印刷を行うため（用紙に２つ以上の画像を印刷するため）、１つの画像の画像領域は、用紙の印刷領域の半分以下の大きさである。したがって、ＣＰＵ５４が直接読み取り可能なＳＤＲＡＭは、所定の解像度で、印刷領域の半分の大きさの画像の２値データを格納できる領域が必要とされる。
【０１１７】
＝＝＝（第２実施形態）制御回路５０の内部構造＝＝＝
図１７は、第２実施形態の制御回路５０の一例を示すブロック図である。  
ＳＰＣ複合装置１の制御回路５０は、ＳＰＣ複合装置１全体の制御を司るＣＰＵ５４と、制御のためのプログラムを記憶したＲＯＭ５５と、スキャナ機能、プリント機能、ローカルコピー機能の各制御を司る制御ＡＳＩＣ５１と、ＣＰＵ５４から直接データを読み書き可能なＳＤＲＡＭ５６と、入力手段としての操作パネル部７０とがＣＰＵバス５０１によって繋がっている。制御ＡＳＩＣ５１には、スキャナユニット１０、印刷ヘッド３８、および制御ＡＳＩＣ５１から直接データを読み書き可能なＡＳＩＣ用ＳＤＲＡＭ６９などが繋げられている。
【０１１８】
制御ＡＳＩＣ５１は、スキャナコントロールユニット５８と、リサイズユニット５９と、２値化処理ユニット６０と、インターレース処理ユニット６２と、イメージバッファユニット６４と、ＣＰＵインターフェイスユニット（以下、ＣＰＵＩＦユニットという）６６と、ヘッドコントロールユニット６８と、外部のホストコンピュータ３との入出力手段としてのＵＳＢインターフェイス（以下、ＵＳＢＩＦという）５２と、スキャナ部１０及びプリンタ部３０が備える各モータやランプ等のドライバを備えている。また、制御ＡＳＩＣ用ＳＤＲＡＭ６９には、ラインバッファ６９１、リサイズバッファ６９６、インターレースバッファ６９３、イメージバッファ６９４がそれぞれ割り当てられている。制御ＡＳＩＣ５１とＡＳＩＣ用ＳＤＲＡＭ６９との間では、データ転送の高速化を図るためにデータの転送単位を６４ｂｉｔとする所謂バースト転送が行われる。制御ＡＳＩＣ５１内の各ユニットは、ＣＰＵバス５０１とは別のローカルバスによって繋がっている。  
すなわち、前述の第１実施形態と比較すると、第２実施形態は、制御ＡＳＩＣ５１がリサイズユニット５９を備えている点、ＡＳＩＣ用ＳＤＲＡＭにリサイズバッファ６９６が割り当てられている点で異なっている。
【０１１９】
制御ＡＳＩＣ内の各ユニットの機能は、前述の実施形態とほぼ同様であるので、異なる点だけ以下に説明する。  
スキャナコントロールユニット５８は、前述の実施形態と同様に、スキャナ部１０が備える露光ランプ２２、ＣＣＤセンサ２８、読取キャリッジ駆動モータとしてのパルスモータ１８３等を制御する。スキャナコントロールユニット５８は、ＣＣＤセンサ２８を介して読み込んだ画像データを送出する機能を有する。
【０１２０】
また、本実施形態のスキャナコントロールユニット５８は、原稿から画像を読み取った後に画素間の補間を行うことにより、所定の解像度の画像データを送出することができる。例えば、通常コピー時にはプリンタ部の解像度（例えば１４４０ｄｐｉ×７２０ｄｐｉ）の解像度の画像データを送出し、リピート印刷時（後述）には２００ｄｐｉ×２００ｄｐｉの解像度の画像データを送出することができる。スキャナコントロールユニット５８から送出されるときの画像データは、多階調のＲＧＢデータ（多値のＲＧＢデータ）である。
【０１２１】
リサイズユニット５９は、所定のサイズの画像データを受け取り、その画像データのサイズを変更し、サイズ変更された画像データを送出する機能を有する。ここで、画像データのサイズとは、その画像の縦横の画素の数である。縦横の画素の数が多ければ画像は大きく、縦横の画素の数が少なければ画像は小さい。但し、実際に印刷される画像は、画素の数が多くても、印刷解像度に応じて大きさが異なる。例えば、同じ画素数であっても、２００ｄｐｉ×２００ｄｐｉの画像データは、１４４０ｄｐｉ×７２０ｄｐｉの画像データよりも大きい画像データである。すなわち、画像データのサイズの変更とは、解像度を変更することでもある。
【０１２２】
＝＝＝（第２実施形態）制御回路５０内のデータの流れ＝＝＝
本実施形態においても、スキャナ機能時のデータの流れ、及び、プリンタ機能時のデータの流れについては、前述の実施形態と同様なので、説明を省略する。
【０１２３】
＜コピー機能時について＞
次に、コピー機能時におけるデータの流れを説明する。ここでは、通常のコピー動作時のデータの流れのみを説明し、リピート印刷方式等のようなレイアウト処理が必要な方式については後述する。
【０１２４】
スキャナユニット１０により読み込まれたデータは、スキャナコントロールユニット５８を介してラインバッファ６９１に取り込まれる。ラインバッファ６９１に取り込まれたＲＧＢデータは、前述したＲＧＢのライン間補正処理が順次施され、同一ラインに対するＲＧＢデータがスキャナコントロールユニット５８から２値化処理ユニット６０に送り込まれる。また、スキャナコントロールユニット５８は、２値化処理ユニット６０にＲＧＢデータを送出するとき、画像データの解像度をプリンタ部の解像度に合わせている。例えば、１４４０ｄｐｉにて印刷を行う場合、スキャナコントロールユニット５８は、１４４０ｄｐｉの解像度の画像データ（ＲＧＢデータ）を２値化処理ユニット６０に送出する。このため、通常のコピー動作時は、リサイズユニット５９は機能していない。
【０１２５】
２値化処理ユニット６０に送り込まれたＲＧＢデータは、ハーフトーン処理された後、制御ＡＳＩＣ用ＳＤＲＡＭ６９内に格納されているルックアップテーブル（ＬＵＴ）６９６が参照されて、ＣＭＹＫの色毎の２値データに変換され、インターレース処理ユニット６２に送り込まれる。
【０１２６】
インターレース処理ユニット６２に送り込まれたＣＭＹＫの２値データは、指定されたインターレース方式に基づいて、各ラスタラインの全データから書込キャリッジ３６の１回の走査毎に印刷されるデータに振り分けられる。例えば、１ラスタラインを書込キャリッジ３６の２回の走査にて形成する場合には、ラスタラインの端から奇数番目のドットを形成するデータと、偶数番目のドットを形成するデータとに振り分けられてＯＬ対応データが生成される。このＯＬ対応データは、インターレースバッファ６９３に６４ｂｉｔずつバースト転送されて記憶される。
【０１２７】
また、インターレース処理ユニット６２では、インターレースバッファ６９３に記憶されたデータを所定サイズ毎に読み出して、インターレース処理ユニット６２内のＳＲＡＭ６２１にバースト転送する。このとき、インターレースバッファ６９３からは、印刷する画像解像度とノズルピッチとに基づいて印刷ヘッド３８のノズル配列に対応させてＯＬ対応データが読み出される。例えば、印刷する画像の解像度が７２０ｄｐｉであり、ノズルピッチが１／１８０ｉｎｃｈの場合には、隣接するノズルにて印刷した２本のラスタライン間に３本のラスタラインがあることになる。このため、ＯＬ対応データからは３ラスタラインずつ間隔を空けたデータが書込キャリッジ３６の走査に対応したデータとして読み出されることになる。  
転送されたデータはＳＲＡＭ６２１上で、ノズル配列に対応させるべく並び替えられてイメージバッファユニット６４に送出される。
【０１２８】
イメージバッファユニット６４では、ＳＲＡＭ６２１の容量により細かくブロック化された画像データをイメージバッファ６９４にバースト転送し、書込キャリッジ３６の走査毎の各ノズルにインクを吐出させるためのヘッド駆動データとなるように整列させて記憶する。ここでイメージバッファ６９４，６９５は、書込キャリッジ３６の２回の走査分のヘッド駆動データを記憶するメモリ領域が割り当てられており、１回の走査分のヘッド駆動データが蓄積される毎に、ＣＰＵ５４によりヘッドコントロールユニット６８に送出されると共に、残りの１回の走査分のメモリ領域に次の走査に対応したヘッド駆動データの書き込みが開始される。この処理は、プリンタ機能の説明にて前述したイメージバッファの処理と同様である。
【０１２９】
イメージバッファ６９４，６９５に記憶された走査毎のヘッド駆動データは、ＣＰＵ５４に制御されてＣＰＵＩＦユニット６６を介してＣＰＵ５４に読み込まれ、ＣＰＵ５４によりヘッドコントロールユニット６８に転送される。ヘッドコントロールユニット６８によりヘッド駆動データに基づいて印刷ヘッド３８が駆動され画像が印刷される。
【０１３０】
通常のコピー動作時には、ＲＧＢの画像データがスキャナコントロールユニット５８によって読み込まれてからＣＭＹＫのヘッド駆動データがイメージバッファ６９４、６９５に書き込まれるまでの間、ＣＰＵ５４による演算を必要とするレイアウト処理は行われていない。つまり、ＲＧＢの画像データをＣＭＹＫのヘッド駆動データへ変換する処理は、ＣＰＵ５４を必要とせず、制御ＡＳＩＣを中心に処理されている。そのため、この処理の間、ＡＳＩＣ用ＳＤＲＡＭとＣＰＵ用ＳＤＲＡＭとの間でデータを受け渡さなくても良い。すなわち、ローカルバス５１１のみを用いて制御ＡＳＩＣ５１とＡＳＩＣ用ＳＤＲＡＭ６９との間でデータが送出されるので、ＣＰＵバス５０１はほとんど用いられない。このため、処理が早くなり、コピー速度を高めることができる。
【０１３１】
＝＝＝（第２実施形態）レイアウト処理を行う印刷方式＝＝＝
レイアウト処理が必要な印刷方式として、ＳＰＣ複合装置１は、「リピート印刷」及び「２アップ印刷」を行うことができる。「リピート印刷」とは、前述の実施形態と同様に、同じ画像を印刷用紙に複数印刷する印刷方式である。「２アップ印刷」は、１枚の印刷用紙に２つの原稿の画像を印刷する印刷方式である。「２アップ印刷」では、読み取られた原稿画像を縮小し、回転させて印刷する。なお、複数の画像を配置する処理や、画像を縮小する処理や、画像を回転させる処理は、ＣＰＵによる演算が必要なレイアウト処理に含まれる。  
これらの印刷方式は、操作パネル部７０を操作して印刷方式を選択すれば、実行される。  
以下、レイアウト処理が必要な印刷方式の説明として、リピート印刷について説明する。但し、前述の実施形態と説明が重複する点については、説明を省略する。
【０１３２】
＜リピート印刷の処理動作について＞
本実施形態のリピート印刷の処理動作の手順は、前述の実施形態と同様なので、説明を省略する。なお、本実施形態では、レーザーが用紙に関する情報を入力するとき、「用紙タイプ」の選択も行われる。
【０１３３】
＜リピート印刷時の制御回路５０内でのデータの流れについて＞
（１）プレスキャン開始から画像数表示までの間の制御回路５０内でのデータの流れについては、前述の実施形態と同様なので、説明を省略する。
【０１３４】
（２）次に、スキャン開始からリピート印刷終了までの間の制御回路５０内でのデータの流れについて、説明する。なお、前述の説明では、１ラスタラインを書込キャリッジ３６の２回の走査にて形成していたが、説明の簡略化のため、１ラスタラインは書込キャリッジ３６の１回の走査にて形成されるものとする（つまり、奇数番目と偶数番目とにラスタラインのドットデータが振り分けられない状態で、以下に説明される）。
【０１３５】
ＣＰＵ５４は、操作パネル部７０から印刷枚数の設定後にカラーコピーボタン８４又はモノクロボタン８６の入力信号を受けて、スキャナコントロールユニット５８に制御信号を送信する。この制御信号には、読み取り領域に関する情報として、画像領域情報（Ｘ２、Ｙ２）に関する情報が含まれている。そして、スキャナコントロールユニット５８は、ＣＰＵ５４からの制御信号に基づいて、スキャナ部１０を制御し、画像領域情報によって指定された領域の画像の読み取りを開始する。
【０１３６】
スキャナコントロールユニット５８は、スキャナ部１０を制御し、所定の周期にてＣＣＤセンサから出力されるＲＧＢデータをラインバッファ６９１に取り込む。そして、スキャナコントロールユニット５８は、ラインバッファ６９１に一旦取り込まれたＲＧＢデータに対して、ＲＧＢのライン間補正処理（前述）し、画素間の補間を行う。これにより、スキャナコントロールユニット５８は、２００ｄｐｉ×２００ｄｐｉの解像度の多階調のＲＧＢ画像データを生成する。
【０１３７】
この多階調のＲＧＢ画像データは、ＣＰＵＩＦユニット６６を介して、ＡＳＩＣ用ＳＤＲＡＭ６９からＣＰＵ用ＳＤＲＡＭ５７の第１レイアウトバッファ５７３Ａに送出される。第１レイアウトバッファ５７３Ａに格納されたＲＧＢ画像データは、ＣＰＵ５４によってアクセス可能である。
【０１３８】
ＣＰＵ５４は、第１レイアウトバッファ５７３Ａに取り込まれたＲＧＢ画像データに基づいて、レイアウトイメージデータを作成する。但し、作成されたレイアウトイメージデータを記憶する第２レイアウトバッファ５７３Ｂは、用紙の横幅分のラインデータを数ライン分しか記憶できる領域しか割り当てられていない。したがって、ＣＰＵ５４は、ライン状のレイアウトイメージデータを作成し、作成されたレイアウトイメージデータを第２レイアウトバッファ５７３Ｂに送り込む。そして、第２レイアウトバッファ５７３Ｂに送り込まれた数ライン分のレイアウトイメージデータは、ＣＰＵＩＦユニット６６を介して、順次制御ＡＳＩＣ用ＳＤＲＡＭ６９内のリサイズバッファ６９６に送り込まれる。この点は、ＣＭＹＫ画像データとＲＧＢ画像データとの違い、及び、解像度の違いはあるものの、前述の図１５及び図１６における説明と同様である。
【０１３９】
なお、リサイズバッファ６９６に送り込まれるレイアウトイメージデータは、２００ｄｐｉ×２００ｄｐｉの解像度の多階調のＲＧＢ画像データである。また、このレイアウトイメージデータが全てそろうと、画像「Ａ」が繰り返し配列されるようにレイアウトされた画像データになる。但し、数ライン分のレイアウトイメージデータは、各ユニットによって順次処理されていくので、このレイアウトイメージデータの全てが揃った状態でバッファに記憶されることはない。
【０１４０】
リサイズユニット５９は、リサイズバッファ６９６に取り込まれた２００ｄｐｉ×２００ｄｐｉの解像度のレイアウトイメージデータを、プリンタ部の解像度に合わせるため、線形的に画素間の補間を行い、解像度を変更する。ここで、プリンタ部の解像度は、「用紙タイプ」や「コピー品質」の設定によって決定される。例えば、用紙タイプが「光沢紙」でコピー品質が「きれい」であれば、プリンタ部は、１４４０ｄｐｉ×７２０ｄｐｉの解像度で印刷を行う。また、用紙タイプが「普通紙」でコピー品質が「速い」であれば、プリンタ部は、３６０ｄｐｉ×３６０ｄｐｉの解像度で印刷を行う。本実施形態では、リサイズユニット５９は、２００ｄｐｉ×２００ｄｐｉのレイアウトイメージデータを、１４４０ｄｐｉ×７２０ｄｐｉの解像度のＲＧＢ画像データに変換する。リサイズされたＲＧＢ画像データは、リサイズユニット５９から２値化処理ユニット６０へ送出される。
【０１４１】
２値化処理ユニット６０にＲＧＢ画像データが送り込まれた後の処理は、前述の通常のコピー機能時の処理とほぼ同様である。すなわち、２値化処理ユニット６０は、多階調のＲＧＢ画像データ（レイアウトされた画像データ）をＣＭＹＫの２値データに変換し、インターレース処理ユニット６２に送出する。インターレース処理ユニット６２は、ＣＭＹＫの２値データを所定のサイズ毎に読み出して、並び替えてイメージバッファユニット６４に送出する。イメージバッファユニット６４は、このデータに基づいて、各ノズルにインクを吐出させるためのヘッド駆動データを生成する。ヘッド駆動データは、ＣＰＵ５４に制御されてＣＰＵＩＦユニット６６を介してＣＰＵ５４に読み込まれ、ＣＰＵ５４によりヘッドコントロールユニット６８に転送される。ヘッドコントロールユニット６８によりヘッド駆動データに基づいて印刷ヘッド３８が駆動され画像が印刷される。  
これにより、本実施形態では、図１１に示されるように、用紙７に画像「Ａ」を繰り返して複数配列した印刷画像を印刷することができる。
【０１４２】
（３）次に、２枚目以降の用紙を印刷するときのデータの流れについて、説明する。  
ＡＳＩＣ用ＳＤＲＡＭ内の各バッファ及びＣＰＵ用ＳＤＲＡＭ５７の第２レイアウトイメージバッファ５７３Ｂは、用紙の横幅分のラインデータを数ライン分しか記憶できる領域しか割り当てられていない。一方、ＡＳＩＣ用ＳＤＲＡＭの各バッファには、数ライン分のデータが順次送られてきている。そのため、これらのバッファは、１枚目の印刷が終わった後、２枚目の印刷に必要なデータを持っていない。
【０１４３】
一方、ＣＰＵ用ＳＤＲＡＭの第１レイアウトイメージバッファ５７３Ａには、図１５に示すような、レイアウト処理前のＲＧＢ画像データが記憶されたままである。そこで、２枚目以降の用紙を印刷するときは、再度原稿からスキャナユニットにより画像を読み取ることなく、ＣＰＵ用ＳＤＲＡＭの第１レイアウトイメージバッファ５７３Ａに記憶されているレイアウト前の画像データを用いて、印刷が行われる。ＣＰＵ５４によるレイアウト処理後は、前述の１枚目のリピート印刷時と同様である。
【０１４４】
まず、ＣＰＵ５４は、第２レイアウトバッファ５７３Ｂに数ライン分のレイアウトイメージデータを順次作成する。第２レイアウトバッファ５７３Ｂのレイアウトイメージデータは、順次制御ＡＳＩＣ用ＳＤＲＡＭ６９のリサイズバッファ６９６に送り込まれる。リサイズユニット５９は、リサイズバッファ６９６に取り込まれた２００ｄｐｉ×２００ｄｐｉの解像度のレイアウトイメージデータを、１４４０ｄｐｉ×７２０ｄｐｉの解像度のＲＧＢ画像データに変換し、２値化処理ユニット６０へ送出する。２値化処理ユニット６０は、多階調のＲＧＢ画像データ（レイアウトされた画像データ）をＣＭＹＫの２値データに変換し、インターレース処理ユニット６２に送出する。インターレース処理ユニット６２は、ＣＭＹＫの２値データを所定のサイズ毎に読み出して、並び替えてイメージバッファユニット６４に送出する。イメージバッファユニット６４は、このデータに基づいて、各ノズルにインクを吐出させるためのヘッド駆動データを生成する。ヘッド駆動データは、ＣＰＵ５４に制御されてＣＰＵＩＦユニット６６を介してＣＰＵ５４に読み込まれ、ＣＰＵ５４によりヘッドコントロールユニット６８に転送される。ヘッドコントロールユニット６８によりヘッド駆動データに基づいて印刷ヘッド３８が駆動され画像が印刷される。
【０１４５】
＝＝＝第１実施形態と第２実施形態について＝＝＝
図１８Ａは、通常のコピー機能時におけるデータの流れの説明図である。図１８Ｂは、第１実施形態におけるレイアウト処理を行う場合のデータの流れの説明図である。図１８Ｃは、第２実施形態におけるレイアウト処理を行う場合のデータの流れの説明図である。
【０１４６】
通常のコピー機能時には、ＲＧＢの画像データがスキャナコントロールユニット５８によって読み込まれてからＣＭＹＫのヘッド駆動データがイメージバッファ６９３、６９４に書き込まれるまでの間、ＡＳＩＣ用ＳＤＲＡＭとＣＰＵ用ＳＤＲＡＭとの間でデータを受け渡さなくても良い。すなわち、ローカルバス５１１のみを用いて制御ＡＳＩＣ５１とＡＳＩＣ用ＳＤＲＡＭ６９との間でデータが送出されるので、ＣＰＵバス５０１はほとんど用いられない。ＣＰＵ５４との間の割り込み動作が減少すれば、制御ＡＳＩＣはＲＧＢの画像データをＣＭＹＫのヘッド駆動データへ変換するための専用のユニットとして製造されているので、処理が早くなり、コピー速度を高めることができる。
【０１４７】
一方、第１実施形態及び第２実施形態では、ＣＰＵ５４による演算を必要とするレイアウト処理が行われる。そして、第１実施形態及び第２実施形態では、画像データの画像をＣＰＵ５４がレイアウトするため、画像データがＣＰＵ用ＳＤＲＡＭ５６に送出される。第１実施形態と第２実施形態とでは、画像データをＣＰＵ側へ送出するタイミングが異なっている。第１実施形態では、ＲＧＢ系の画像データがＣＭＹＫ系の画像データに変換された後、ＣＭＹＫ系の画像データがＣＰＵ用ＳＤＲＡＭに送出され、ＣＰＵ５４は、このＣＭＹＫ系の画像データに基づいて、レイアウト処理を行っている。一方、第２実施形態では、ＲＧＢの画像データがＣＰＵ用ＳＤＲＡＭに送出され、ＣＰＵ５４は、このＲＧＢの画像データに基づいて、レイアウト処理を行っている。
【０１４８】
ＲＧＢの画像データは、ＣＭＹＫの画像データと比較して、色の数が少ない（プレーンの数が少ない）ので、処理すべきデータ量が少ない。図１８Ｂに示す第１実施形態のように、２値化処理ユニットのＣＭＹＫの画像データをＣＰＵ５４がレイアウト処理することにすると、色の数が多いため、処理すべきデータ量が多くなってしまう。一方、図１８Ｃに示す第２実施形態では、処理すべきデータ量が少ないので、ＣＰＵ５４が演算を行うときの負担が減少し、また、処理速度も速くなる。
【０１４９】
また、２００×２００ｄｐｉの解像度のデータは、１４４０×７２０ｄｐｉの解像度のデータと比較して、画素数が少ないので、処理すべきデータ量が少ない。図１８Ｂに示す第１実施形態ように、２値化処理ユニットの１４４０×７２０ｄｐｉの解像度の画像データをＣＰＵ５４がレイアウト処理することにすると、解像度が高いため、処理すべきデータ量が多くなってしまう。一方、図１８Ｃに示す第２実施形態では、処理すべきデータ量が少ないので、ＣＰＵ５４が演算を行うときの負担が減少し、また、処理速度も速くなる。
【０１５０】
なお、多階調のデータは、２階調（又は４階調）のデータよりも、処理すべきデータ量が多くなる。しかし、第２実施形態では、処理すべきデータ量の全体として、ＲＧＢの画像データの方がＣＭＹＫの画像データよりも少なくなっている（３×２００×２００×８ ＜ ４×１４４０×７２０×１）。そのため、第２実施形態は、第１実施形態と比べると、処理すべきデータ量が少ないので、ＣＰＵ５４が演算を行うときの負担が減少し、また、処理速度も速くなる。
【０１５１】
以上の説明からも明らかなように、第１及び第２実施形態のＳＰＣ複合装置（印刷装置）は、画像データをヘッド駆動データ（印刷データ）に変換する制御ＡＳＩＣ（データ変換部）と、画像データの画像をレイアウトしたレイアウトイメージデータ（画像データ）を生成するＣＰＵ（レイアウト部）と、ＣＰＵと制御ＡＳＩＣとの間において画像データを伝送するＣＰＵバス（伝送路）とを備え、ヘッド駆動データに基づいて、紙に印刷を行う。そして、リピート印刷時（レイアウトした画像を紙に印刷する場合）、ＣＰＵは、画像データの画像をレイアウトしたレイアウトイメージデータを生成し、制御ＡＳＩＣは、ＣＰＵからＣＰＵバスを介して伝送されたレイアウトイメージデータをヘッド駆動データに変換している。また、通常コピー機能時（レイアウトしない画像を紙に印刷する場合）、ＣＰＵはレイアウトイメージデータを生成せず、制御ＡＳＩＣは、ＣＰＵバスを経由していない画像データをヘッド駆動データに変換している。 
これにより、レイアウト処理を行わない場合、ＣＰＵによる処理を必要としないので、画像データをＣＰＵバスに伝送する必要がなく、処理速度を速くすることができる。
【０１５２】
また、第１及び第２実施形態のＳＰＣ複合装置は、原稿から画像を読み取るスキャナ部を備えており、制御ＡＳＩＣ（データ変換部）は、スキャナ部から受け取ったデータに基づいて、画像データを生成する。すなわち、専用的なユニットである制御ＡＳＩＣ内において画像データの生成までをも行うので、処理速度が速くなる。
【０１５３】
また、第２実施形態のＳＰＣ複合装置によれば、スキャナ部から受け取ったデータに基づいて制御ＡＳＩＣ（データ変換部）が生成する画像データの解像度は、前記画像をレイアウトするか否かにより、異なる。特に、リピート印刷時（画像をレイアウトする場合）、制御ＡＳＩＣ（データ変換部）が生成する画像データの解像度は、通常コピー機能時（画像をレイアウトしない場合）と比較して、低い解像度である。具体的には、通常コピー機能時（レイアウトしない画像を紙に印刷する場合）、制御ＡＳＩＣは、スキャナ部から受け取ったデータに基づいて、１４４０×７２０ｄｐｉの比較的高い解像度の画像データを生成する。この解像度は、プリンタ部の解像度に合わせたものである。一方、リピート印刷時（レイアウトした画像を紙に印刷する場合）、制御ＡＳＩＣは、スキャナ部から受け取ったデータに基づいて、２００×２００ｄｐｉの比較的低い解像度の画像データを生成する。これにより、ＣＰＵが処理すべきデータ量が少なくなるので、処理速度が速くなる。
【０１５４】
また、第１及び第２実施形態のＳＰＣ複合装置は、複数のノズルを備えた移動可能なヘッドを備えており、制御ＡＳＩＣは、インターレース処理ユニットやイメージバッファユニット（画像データを、各ノズルに対応させて並び替えた印刷データに変換するユニット）を有する。これにより、専用的なユニットである制御ＡＳＩＣ内において、ヘッド駆動データの生成をも行うので、処理速度が速くなる。
【０１５５】
また、第１及び第２実施形態のＳＰＣ複合装置では、制御ＡＳＩＣ（データ変換部）は、ＲＧＢ系の画像データをＣＭＹＫ系の画像データに変換する２値化ユニットを有する。これにより、専用的なユニットである制御ＡＳＩＣ内において、色空間の変換をも行うので、処理速度が速くなる。
【０１５６】
また、第２実施形態のＳＰＣ複合装置では、ＣＰＵ（レイアウト部）は、ＲＧＢ系の画像データに基づいて、この画像データの画像をレイアウトしたＲＧＢ系のレイアウトイメージデータ（画像データ）を生成する。これにより、ＣＰＵがＣＭＹＫ系の画像データのレイアウト処理を行う場合と比較して、色の数が少ないので処理すべきデータ量が少なくなり、処理速度が速くなる。
【０１５７】
また、第２実施形態のＳＰＣ複合装置では、ＣＰＵ（レイアウト部）が生成したレイアウトイメージデータ（画像データ）の画像の解像度は、ヘッド駆動データ（印刷データ）の画像の解像度よりも低い解像度である。具体的には、レイアウトイメージデータの画像の解像度は２００×２００ｄｐｉであり、ヘッド駆動データの画像の解像度は１４４０×７２０ｄｐｉである。仮に、ＣＰＵが１４４０×７２０ｄｐｉの解像度にてレイアウトイメージデータを生成することにすると、ＣＰＵの処理すべきデータ量が増えてしまい、処理速度が低下してしまう。一方、第２実施形態によれば、ＣＰＵの処理すべきデータ量が少ないので、処理速度が速くなる。
【０１５８】
また、第２実施形態のＳＰＣ複合装置では、制御ＡＳＩＣは、ＣＰＵが生成したレイアウトイメージデータの解像度を変更するリサイズユニットを有する。  
ＣＰＵにより処理されるＲＧＢ系の画像データの解像度は、ＳＰＣ複合装置のプリンタ部の解像度に合わせる必要がない。そのため、ＣＰＵにより処理される画像データの解像度を低くすることができる。但し、最終的には画像データの解像度をプリンタ部の解像度に合わせる必要がある。そこで、リサイズユニットにより、このＲＧＢ系の画像データの解像度をプリンタ部の解像度に合わせることにしている。
【０１５９】
＝＝＝印刷システム等の構成＝＝＝
次に、印刷システム（コンピュータシステム）、コンピュータプログラム、及び、コンピュータプログラムを記録した記録媒体の実施形態について、図面を参照しながら説明する。
【０１６０】
図１９は、コンピュータシステムの外観構成を示した説明図である。コンピュータシステム１０００は、コンピュータ本体１１０２と、表示装置１１０４と、ＳＰＣ複合装置１１０６と、入力装置１１０８と、読取装置１１１０とを備えている。コンピュータ本体１１０２は、本実施形態ではミニタワー型の筐体に収納されているが、これに限られるものではない。表示装置１１０４は、ＣＲＴ（Cathode Ray Tube：陰極線管）やプラズマディスプレイや液晶表示装置等が用いられるのが一般的であるが、これに限られるものではない。ＳＰＣ複合装置１１０６は、上記に説明されたＳＰＣ複合装置が用いられている。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Magnet Optical）ディスクドライブ装置やＤＶＤ（Digital Versatile Disk）等の他のものであっても良い。
【０１６１】
図２０は、図１９に示したコンピュータシステムの構成を示すブロック図である。コンピュータ本体１１０２が収納された筐体内にＲＡＭ等の内部メモリ１２０２と、ハードディスクドライブユニット１２０４等の外部メモリがさらに設けられている。  
上述したプリンタの動作を制御するコンピュータプログラムは、例えばインターネット等の通信回線を経由して、ＳＰＣ複合装置１１０６に接続されたコンピュータ１０００等にダウンロードさせることができるほか、コンピュータによる読み取り可能な記録媒体に記録して配布等することもできる。記録媒体としては、例えば、フレキシブルディスクＦＤ、ＣＤ−ＲＯＭ、ＤＶＤ−ＲＯＭ、光磁気ディスクＭＯ、ハードディスク、メモリ等の各種記録媒体を用いることができる。なお、このような記憶媒体に記憶された情報は、各種の読取装置１１１０によって、読み取り可能である。
【０１６２】
図２１は、コンピュータシステムに接続された表示装置１１０４の画面に表示されたプリンタドライバのユーザーインターフェースを示す説明図である。このプリンタドライバは、ＳＰＣ複合装置のプリンタ機能を補完するためのものである。ユーザーは、入力装置１１０８を用いて、プリンタドライバの各種の設定を行うことができる。  
ユーザーは、この画面上から、印刷モードを選択することができる。例えば、ユーザーは、印刷モードとして、高速印刷モード又はファイン印刷モードを選択することができる。また、ユーザーは、この画面上から、印刷するときのドットの間隔（解像度）を選択することができる。例えば、ユーザーは、この画面上から、印刷の解像度として７２０ｄｐｉ又は３６０ｄｐｉを選択することができる。
【０１６３】
図２２は、コンピュータ本体１１０２からＳＰＣ複合装置１１０６に供給される印刷データのフォーマットの説明図である。この印刷データは、プリンタドライバの設定に基づいて画像情報から作成されるものである。印刷データは、印刷条件コマンド群と各パス用コマンド群とを有する。印刷条件コマンド群は、印刷解像度を示すコマンドや、印刷方向（単方向／双方向）を示すコマンドなどを含んでいる。また、各パス用の印刷コマンド群は、目標搬送量コマンドＣＬや、画素データコマンドＣＰを含んでいる。画素データコマンドＣＰは、各パスで記録されるドットの画素毎の記録状態を示す画素データＰＤを含んでいる。なお、同図に示す各種のコマンドは、それぞれヘッダ部とデータ部とを有しているが、簡略して描かれている。また、これらのコマンド群は、各コマンド毎にコンピュータ本体側からプリンタ側に間欠的に供給される。但し、印刷データは、このフォーマットに限られるものではない。
【０１６４】
なお、以上の説明においては、ＳＰＣ複合装置１１０６が、コンピュータ本体１１０２、表示装置１１０４、入力装置１１０８、及び、読取装置１１１０と接続されてコンピュータシステムを構成した例について説明したが、これに限られるものではない。例えば、コンピュータシステムが、コンピュータ本体１１０２とＳＰＣ複合装置１１０６から構成されても良く、コンピュータシステムが表示装置１１０４、入力装置１１０８及び読取装置１１１０のいずれかを備えていなくても良い。また、例えば、ＳＰＣ複合装置１１０６が、コンピュータ本体１１０２、表示装置１１０４、入力装置１１０８、及び、読取装置１１１０のそれぞれの機能又は機構の一部を持っていても良い。一例として、ＳＰＣ複合装置１１０６が、画像処理を行う画像処理部、各種の表示を行う表示部、及び、デジタルカメラ等により撮影された画像データを記録した記録メディアを着脱するための記録メディア着脱部等を有する構成としても良い。
【０１６５】
このようにして実現されたコンピュータシステムは、システム全体として従来システムよりも優れたシステムとなる。
【０１６６】
＝＝＝その他の実施の形態＝＝＝
上記の実施形態は、主としてＳＰＣ複合装置について記載されているが、その中には、記録装置、印刷装置、印刷方法、搬送装置、プログラム、記憶媒体、コンピュータシステム、表示画面、画面表示方法、印刷物の製造方法、記録装置、液体の吐出装置等の開示が含まれていることは言うまでもない。  
また、一実施形態としてのＳＰＣ複合装置等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１６７】
＜画像の配列について＞
前述の実施形態では、読み取られた画像の縦横の向きと、用紙に複数配列されて印刷される画像の縦横の向きとが同じであった。しかし、用紙に印刷される画像の向きは、これに限られるものではない。
【０１６８】
図２３は、他の画像の配列を説明するための図である。本実施形態では、ＣＰＵ５４が、第１レイアウトバッファ５７３Ａの画像のデータの縦横の向きを９０度回転させて第２レイアウトバッファ５７３Ｂにレイアウトイメージを作成し、回転された画像を複数配列して印刷用紙に印刷している。このように、読み取られた画像情報を回転させ、回転された画像情報に基づく画像を複数配列して印刷しても良い。本実施形態では、前述の実施形態の場合と比較して、同じ印刷領域を持つ用紙に同じ画像を１つ多く配列することができる。なお、本実施形態では、用紙の縦方向に配置可能な画像の最大数ｍは、縦方向の印刷領域情報（Ｘ１）と横方向の画像領域情報（Ｙ２）に基づき、算出される。同様に、横に配置可能な画像の最大数ｎは、横方向の印刷領域情報（Ｙ１）と縦方向の画像領域情報（Ｘ２）に基づき、算出される。
【０１６９】
また、前述の実施形態のように画像を回転させずに配列した場合と、上記の実施形態のように画像を９０度回転させて配列した場合とを比較し、画像を多く配列できる方を選択して、用紙に印刷を行っても良い。  
また、前述の実施形態のように回転させずに配列した画像と、上記の実施形態のように画像を９０度回転させて配列した画像とを混在させて、複数の画像を配列して印刷しても良い。
【０１７０】
＜余白について＞
前述の実施形態では、用紙の端部（上端又は側端）と画像との間に設けられる余白の幅は、画像間に設けられる余白の幅とほぼ等しかった。しかし、用紙の端部（上端又は側端）と画像との間に設けられる余白の幅は、必ずしも等しくなくても良い。ただし、用紙の端部（上端又は側端）と画像との間に設けられる余白の幅が等しければ、用紙に複数印刷された画像を切り取る際に、どの画像も同じ状態で切り取ることができる。
【０１７１】
また、前述の実施形態では、用紙の端部と画像との間、又は、画像間に余白が設けられていた。しかし、必ずしも余白を設ける必要はない。なお、用紙の端部と画像との間に余白がないときは、画像間に余白を設けない方が望ましい。このようにすれば、用紙に複数印刷された画像を切り取る際に、どの画像も同じ状態で切り取ることができるからである。なお、余白を設けないのであれば、用紙に配列される画像の数を決定するときに、余白情報を考慮する必要はなくなる。  
また、前述の実施形態では、画像間には単に余白を設けていただけであった。しかし、余白部分に切取線を設けても良い。このようにすれば、用紙に複数印刷された画像を切り取る際に、切り取りやすくなる。
【０１７２】
＜画像数の表示と印刷枚数の設定について＞
前述の実施形態では、１枚当たりの画像の数が表示された後、印刷枚数が設定されていた。しかし、印刷枚数の設定は、これに限られるものではない。  
例えば、ユーザーが必要とする画像（例えば「Ａ」という画像）の総数を先に入力し、算出された１枚当たりの画像の数に基づいて、用紙の印刷枚数を設定するようにしても良い。  
また、特に印刷枚数を設定することなく、ボタンが押されるたびに、１枚ずつ用紙を印刷するようにしても良い。
【０１７３】
＜ノズルについて＞
前述の実施形態では、圧電素子を用いてインクを吐出していた。しかし、液体を吐出する方式は、これに限られるものではない。例えば、熱によりノズル内に泡を発生させる方式など、他の方式を用いてもよい。
【符号の説明】
【０１７４】
１  ＳＰＣ複合装置、  ３  ホストコンピュータ、  ５  原稿、  ７  用紙、
１０  スキャナ部、  １２  原稿台ガラス、  １４  原稿台カバー、  
１６  読取キャリッジ、  １８  駆動手段、  １８１  タイミングベルト、
１８２  プーリ、    １８３  パルスモータ、  １８４  アイドラプーリー、
２０  規制ガイド、  ２２  露光ランプ、  ２４  レンズ、  ２６  ミラー、
２８  ＣＣＤセンサ、  ２９  ガイド受け部、
３０  プリンタ部、  ３０１  開口、    ３１  ギア列、  ３２  用紙供給部、
３３  ノズル列、    ３４  排紙部、  ３４１  排紙トレー、  ３５  プラテン、
３６  書込キャリッジ、  ３７  搬送ローラ、  ３８  印刷ヘッド、  
３９  排紙ローラ、  ３９１  従動ローラ、  
４０  キャリッジモータ、  ４１  ヒンジ機構、４２  紙送りモータ（ＰＦモータ）、
４５  用紙検出センサ、
４５１  レバー、  ４５２  透過型光センサ、  ４５３  作用部、  ４５４  遮光部、
４６  リニア式エンコーダ、  ４６１  リニア式エンコーダ用符号板、
４７  ロータリ式エンコーダ、  ４８  プーリ、  ４９  タイミングベルト、
５０  制御回路、  ５１  制御用ＡＳＩＣ、  ５４  ＣＰＵ、  ５５  ＲＯＭ、
５６  ＳＤＲＡＭ、  ５８  スキャナコントロールユニット、
５９  リサイズユニット、  ６０  ２値化処理ユニット、
６２  インターレース処理ユニット、  ６４  イメージバッファユニット、
６６  ＣＰＵインターフェイスユニット（ＣＰＵＩＦユニット）、
６８  ヘッドコントロールユニット、  ６９  ＡＳＩＣ用ＳＤＲＡＭ、  
６９１  ラインバッファ、    ６９２  インターレースバッファ、
６９３  イメージバッファ、  
７０  操作パネル部、  ７２  液晶ディスプレイ、    ７４  報知ランプ、
７６  電源ボタン、    ７８  スキャンスタートボタン、  ８０  設定表示ボタン、
８２  クリアボタン、  ８４  カラーコピーボタン、  ８６  モノクロコピーボタン、
８８  ストップボタン、  ９０  コピー枚数設定ボタン、  ９２  メニューボタン
【図１】
2010016888.tif 000003
【図２】
2010016888.tif 000004
【図３】
2010016888.tif 000005
【図４】
2010016888.tif 000006
【図５】
2010016888.tif 000007
【図６】
2010016888.tif 000008
【図７】
2010016888.tif 000009
【図８】
2010016888.tif 000010
【図９】
2010016888.tif 000011
【図１０】
2010016888.tif 000012
【図１１】
2010016888.tif 000013
【図１２】
2010016888.tif 000014
【図１３】
2010016888.tif 000015
【図１４】
2010016888.tif 000016
【図１５】
2010016888.tif 000017
【図１６】
2010016888.tif 000018
【図１７】
2010016888.tif 000019
【図１８】
2010016888.tif 000020
【図１９】
2010016888.tif 000021
【図２０】
2010016888.tif 000022
【図２１】
2010016888.tif 000023
【図２２】
2010016888.tif 000024
【図２３】
2010016888.tif 000025
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
画像データを印刷データに変換するデータ変換部と、
画像データの画像をレイアウトした画像データを生成するレイアウト部と、
前記レイアウト部と前記データ変換部との間において画像データを伝送する伝送路と
を備え、
前記印刷データに基づいて、媒体に印刷を行う印刷装置であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換することを特徴とする印刷装置。
【請求項２】
請求項１に記載の印刷装置であって、
前記印刷装置は、原稿から画像を読み取るスキャナ部を更に備え、
前記データ変換部は、前記スキャナ部から受け取ったデータに基づいて、画像データを生成することを特徴とする印刷装置。
【請求項３】
請求項２に記載の印刷装置であって、
前記スキャナ部から受け取ったデータに基づいて前記データ変換部が生成する画像データの解像度は、前記画像をレイアウトするか否かにより、異なることを特徴とする印刷装置。
【請求項４】
請求項３に記載の印刷装置であって、
前記画像をレイアウトする場合、前記データ変換部が生成する画像データの解像度は、前記画像をレイアウトしない場合と比較して、低い解像度であることを特徴とする印刷装置。
【請求項５】
請求項１〜４のいずれかに記載の印刷装置であって、
前記印刷装置は、複数のノズルを備えた移動可能なヘッドを更に備え、
前記データ変換部は、前記画像データを、各ノズルに対応させて並び替えた印刷データに変換するユニットを有することを特徴とする印刷装置。
【請求項６】
請求項１〜５のいずれかに記載の印刷装置であって、
前記データ変換部は、ＲＧＢ系の画像データをＣＭＹＫ系の画像データに変換するユニットを有することを特徴とする印刷装置。
【請求項７】
請求項６に記載の印刷装置であって、
前記レイアウト部は、ＲＧＢ系の画像データに基づいて、この画像データの画像をレイアウトしたＲＧＢ系の画像データを生成することを特徴とする印刷装置。
【請求項８】
請求項１〜７のいずれかに記載の印刷装置であって、
前記レイアウト部が生成した画像データの画像の解像度は、前記印刷データの画像の解像度よりも低い解像度であることを特徴とする印刷装置。
【請求項９】
請求項８に記載の印刷装置であって、
前記データ変換部は、前記レイアウト部が生成した前記画像データの解像度を変更するユニットを有することを特徴とする印刷装置。
【請求項１０】
画像データを印刷データに変換するデータ変換部と、
画像データの画像をレイアウトした画像データを生成するレイアウト部と、
前記レイアウト部と前記データ変換部との間において画像データを伝送する伝送路と
を備え、
前記印刷データに基づいて、媒体に印刷を行う印刷装置であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換し、
前記印刷装置は、原稿から画像を読み取るスキャナ部を更に備え、
前記データ変換部は、前記スキャナ部から受け取ったデータに基づいて、画像データを生成し、
前記スキャナ部から受け取ったデータに基づいて前記データ変換部が生成する画像データの解像度は、前記画像をレイアウトするか否かにより、異なり、
前記画像をレイアウトする場合、前記データ変換部が生成する画像データの解像度は、前記画像をレイアウトしない場合と比較して、低い解像度であり、
前記印刷装置は、複数のノズルを備えた移動可能なヘッドを更に備え、
前記データ変換部は、前記画像データを、各ノズルに対応させて並び替えた印刷データに変換するユニットを有し、
前記データ変換部は、ＲＧＢ系の画像データをＣＭＹＫ系の画像データに変換するユニットを有し、
前記レイアウト部は、ＲＧＢ系の画像データに基づいて、この画像データの画像をレイアウトしたＲＧＢ系の画像データを生成し、
前記レイアウト部が生成した画像データの画像の解像度は、前記印刷データの画像の解像度よりも低い解像度であり、
前記データ変換部は、前記レイアウト部が生成した前記画像データの解像度を変更するユニットを有する
ことを特徴とする印刷装置。
【請求項１１】
画像データを印刷データに変換するデータ変換部と、
画像データの画像をレイアウトした画像データを生成するレイアウト部と、
前記レイアウト部と前記データ変換部との間において画像データを伝送する伝送路と
を備えた印刷装置により、前記印刷データに基づいて、媒体に印刷を行う印刷方法であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換することを特徴とする印刷方法。
【請求項１２】
画像データを印刷データに変換するデータ変換部と、
画像データの画像をレイアウトした画像データを生成するレイアウト部と、
前記レイアウト部と前記データ変換部との間において画像データを伝送する伝送路と
を備え、前記印刷データに基づいて、媒体に印刷を行う印刷装置に、
レイアウトした画像を前記媒体に印刷する場合、前記レイアウト部が、前記画像をレイアウトした画像データを生成し、前記データ変換部が、前記レイアウト部から前記伝送路を介して伝送された画像データを印刷データに変換する機能と、
レイアウトされない画像を前記媒体に印刷する場合、前記レイアウト部は、前記画像をレイアウトした画像データを生成せず、前記データ変換部が、前記伝送路を経由していない前記画像データを前記印刷データに変換する機能と
を実現させることを特徴とするプログラム。
【請求項１３】
コンピュータ本体と、印刷装置とを備えた印刷システムであって、
前記印刷装置は、
画像データを印刷データに変換するデータ変換部と、
画像データの画像をレイアウトした画像データを生成するレイアウト部と、
前記レイアウト部と前記データ変換部との間において画像データを伝送する伝送路と
を備え、
前記印刷データに基づいて、媒体に印刷を行う印刷装置であって、
レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、
レイアウトされない画像を前記媒体に印刷する場合、前記レイアウト部は、前記画像をレイアウトした画像データを生成せず、前記データ変換部は、前記伝送路を経由していない前記画像データを前記印刷データに変換する
ことを特徴とする印刷システム。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
ＣＰＵが処理するデータ量が増えると、ＣＰＵによる他の処理速度が低下し、結果として印刷速度が低下してしまう。そこで、ＣＰＵが処理するデータ量を減らすため、ＣＰＵとは別に制御回路を設け、この制御回路によって画像データを印刷データに変換することが考えられる。
一方、印刷装置が画像データの画像をレイアウトして印刷する必要がある。このレイアウト処理は複雑な演算を必要とするため、上記の制御回路によってレイアウト処理までをも行うことは現実的ではない。
本発明は、レイアウト処理を行う印刷装置の処理速度を速くすることを目的とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
上記目的を達成するための主たる発明は、画像データを印刷データに変換するデータ変換部と、画像データの画像をレイアウトした画像データを生成するレイアウト部と、前記レイアウト部と前記データ変換部との間において画像データを伝送する伝送路とを備え、前記印刷データに基づいて、媒体に印刷を行う印刷装置であって、レイアウトした画像を前記媒体に印刷する場合、前記レイアウト部は、前記画像をレイアウトした画像データを生成し、前記データ変換部は、前記レイアウト部から前記伝送路を介して伝送された画像データを印刷データに変換し、レイアウトされない画像を前記媒体に印刷する場合、前記レイアウト部は、前記画像をレイアウトした画像データを生成せず、前記データ変換部は、前記伝送路を経由していない前記画像データを前記印刷データに変換することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
また、本発明の印刷装置によれば、印刷装置の処理速度を速くすることができる。